(57)【要約】  スライド開閉装置及びこれを備えた携帯端末機を開示する。  本発明の第１実施例のスライド開閉装置によれば、スライドプレートは、メインプレートに一方向へスライド可能に結合される。弾性部材は、一方向へ弾性力を発生させるようにメインプレートに支持される。動力切換部材は、弾性部材の弾性力を受け、スライドプレートの位置によってスライドプレートに開放方向や閉鎖方向へ弾性力を伝達する。
2007503752.tif 000002
【特許請求の範囲】
【請求項１】
メインプレート；
上記メインプレートに一方向へスライドするように結合されるスライドプレート；
上記メインプレートに支持されて一方向へ弾性力を発生させる弾性部材；及び
上記弾性部材の弾性力を受け、上記スライドプレートの移動経路のうち一定の地点を基準として、上記スライドプレートが閉鎖される位置にある時には上記スライドプレートに閉鎖方向へ弾性力を加え、上記スライドプレートが開放される位置にある時には上記スライドプレートに開放方向へ弾性力を加える動力切換部材；を含むことを特徴とするスライド開閉装置。
【請求項２】
上記スライドプレートには、移動方向に沿って１つ以上のガイドスリットが形成され、上記メインプレートには、それぞれの上記ガイドスリットにスライドするように結合されるガイドリブが形成されたことを特徴とする請求項１に記載のスライド開閉装置。
【請求項３】
上記弾性部材は、一端が上記メインプレートに支持され、他端が上記動力切換部材に支持されて広がるように弾性力を発生させるトーションスプリングからなることを特徴とする請求項１に記載のスライド開閉装置。
【請求項４】
上記動力切換部材は、一端が、上記弾性部材に連結されるとともに、上記スライドプレートが移動する方向と直交する方向にだけ流動できるように上記メインプレート上にガイドされ、他端が、上記スライドプレートに回転可能に連結された回動アームからなることを特徴とする請求項１に記載のスライド開閉装置。
【請求項５】
上記動力切換部材は、上記弾性部材に弾性力を受けるように固定されている移動ブロックからなり、
上記スライドプレートには、上記移動ブロックの弾性力を受けて上記スライドプレートがオープンする方向に力を加える角度を有する第１傾斜部と、上記第１傾斜部と連結されて上記スライドプレートがクローズする方向に力を加える角度を有する第２傾斜部とからなるカム溝が形成されることを特徴とする請求項１に記載のスライド開閉装置。
【請求項６】
上記移動ブロックは、
上記弾性部材に結合され、上記カム溝にスライドするように結合される突起部を有するカム軸；
上記メインプレートに、上記弾性部材の弾性力が加えられる方向に形成される長孔に、スライドするように結合されるブッシュ；及び
上記ブッシュを貫通し、上記カム軸に締結されるスクリュー；を含んでなることを特徴とする請求項５に記載のスライド開閉装置。
【請求項７】
上記スライド開閉装置は、
上記弾性部材と上記動力切換部材の連結部位が上記弾性部材の弾性力の加えられる方向に沿って移動するようにガイドし、上記スライドプレートが上記メインプレートに閉じた状態で、上記スライドプレートがそれ以上閉鎖方向へ移動しないように、また上記スライドプレートが上記メインプレートから開いた状態で、上記スライドプレートがそれ以上開放方向へ移動しないように、上記動力切換部材に制動力を発生させるガイド部材；をさらに含むことを特徴とする請求項１に記載のスライド開閉装置。
【請求項８】
上記ガイド部材は、
上記弾性部材と上記動力切換部材を連結するガイドピンからなり、
上記スライドプレートには、上記スライドプレートの移動方向と直交する方向に上記ガイドピンが移動するようにガイドするための長孔が形成されたことを特徴とする請求項７に記載のスライド開閉装置。
【請求項９】
上記動力切換部材は、
上記弾性部材の固定される第１端部が上記スライドプレートに軸回転可能に結合され、第２端部は上記弾性部材が上記メインプレートに連結された地点を中心に所定距離の直線移動及び軸回転するように結合されるリンクからなることを特徴とする請求項１に記載のスライド開閉装置。
【請求項１０】
上記動力切換部材は、上記スライドプレートから突出する第１回転軸に回転可能に結合される第１軸孔が第１端部に形成され、上記メインプレートから突出する第２回転軸の移動空間を提供する長孔が第２端部に形成されたリンクからなることを特徴とする請求項９に記載のスライド開閉装置。
【請求項１１】
上記開閉装置は、上記スライドプレートの上記メインプレートに対する閉鎖位置と開放位置において、上記長孔の端部が上記第２回転軸に係止するようにすることによって、上記スライドプレートの移動距離を制限することを特徴とする請求項１０に記載のスライド開閉装置。
【請求項１２】
上記スライドプレートには第２ボスを形成し、上記リンクには、上記スライドプレートが上記メインプレートに対して完全に閉じる地点まで移動する前に上記第２ボスに係止して上記リンクの回転を制限する係止部を形成することによって、上記スライドプレートの閉鎖方向の移動距離を上記スライドプレートの開放方向の移動距離より短くしたことを特徴とする請求項１１に記載のスライド開閉装置。
【請求項１３】
上記弾性部材は、上記第１軸孔と上記長孔との間の上記リンクに形成される第１ボスに一端が固定され、上記第２回転軸に他端が回転可能に結合され、広がる方向に弾性力を発生させるトーションスプリングからなることを特徴とする請求項１０に記載の携帯端末機のスライド開閉装置。
【請求項１４】
上記動力切換部材は、
上記スライドプレートから突出する第３回転軸に回転可能に結合される第２軸孔が形成された第１ブロック；
上記第１ブロックに固定される１つ以上の棒部；
上記棒部がスライドするように結合される貫通孔が形成され、上記スライドプレートに形成される第２ボスに回転可能に結合される第３軸孔が形成された第２ブロック；を含んでなることを特徴とする請求項９に記載のスライド開閉装置。
【請求項１５】
上記開閉装置は、上記貫通孔を通過した棒部には係止片を固定し、上記スライドプレートの閉鎖位置と開放位置で上記係止片が上記第２ブロックに係止するようにすることによって、上記スライドプレートの移動距離を制限することを特徴とする請求項１４に記載のスライド開閉装置。
【請求項１６】
上記第１ブロックは非円形に形成し、上記スライドプレートには、上記スライドプレートが上記メインプレートに対して完全に閉じる地点まで移動する前に上記第１ブロックの回転を制限する係止段を形成することによって、上記スライドプレートの閉鎖方向の移動距離を上記スライドプレートの開放方向の移動距離より短くしたことを特徴とする請求項１４に記載のスライド開閉装置。
【請求項１７】
上記弾性部材は、上記棒部に結合され、上記第１ブロックと上記第２ブロックとが離隔する方向に弾性力を発生させる圧縮スプリングからなることを特徴とする請求項１４に記載のスライド開閉装置。
【請求項１８】
上記動力切換部材は、
上記メインプレートの第１地点に回転可能に結合される第１ブロックと、上記第１地点と移動経路が一致しない上記スライドプレートの第２地点に回転可能に結合される第２ブロックと、上記第１ブロック及び上記第２ブロック間を伸縮可能に連結する棒部材からなり、
上記弾性部材は上記棒部材に結合され、上記第１ブロック及び上記第２ブロックを離隔する方向に弾性力を発生させることを特徴とする請求項１に記載のスライド開閉装置。
【請求項１９】
上記第２ブロックは、
上記スライドプレートの移動経路のうち変曲点を基準として、上記スライドプレートが閉鎖される位置にある時には、上記第１ブロックから閉鎖方向に位置することによって、上記弾性部材の弾性力が上記スライドプレートの閉鎖方向に作用し、
上記スライドプレートが開放される位置にある時には、上記第１ブロックから開放方向に位置することによって、上記弾性部材の弾性力が上記スライドプレートの閉鎖方向に作用することを特徴とする請求項１８に記載のスライド開閉装置。
【請求項２０】
上記第２ブロックは、上記スライドプレートのオープン時の移動距離を、上記スライドプレートのクローズ時の移動距離より短くする位置に設置されたことを特徴とする請求項１８に記載のスライド開閉装置。
【請求項２１】
上記棒部材は、
上記第１ブロック又は上記第２ブロックのうち一方に固定され、上記第１ブロックと上記第２ブロックとの間の最短距離より長さの短い雌シャフト；及び
上記第１ブロック又は上記第２ブロックのうち他方に固定され、上記第１ブロックと上記第２ブロックとの間の最短距離より短いながら、上記スライドプレートの開閉過程で、上記雌シャフトの内部でスライド可能な長さの雄シャフト；を含んでなることを特徴とする請求項１８に記載のスライド開閉装置。
【請求項２２】
上記弾性部材は、圧縮スプリングからなることを特徴とする請求項１８に記載のスライド開閉装置。
【請求項２３】
上記弾性部材は、引張力を発生させ、
上記動力切換部材は、上記メインプレートの第１地点と上記スライドプレートの第２地点とを連結する２つ以上のリンク列からなり、それぞれの上記リンク列は１つ以上の屈折点を有する２つ以上のリンクからなり、２つ以上の上記リンク列は、上記弾性部材の引張力を受けて上記第１地点と上記第２地点とを離隔しようとする方向に弾性力を発生させることを特徴とする請求項１に記載のスライド開閉装置。
【請求項２４】
上記弾性部材は、引張スプリングからなることを特徴とする請求項２３に記載のスライド開閉装置。
【請求項２５】
上記動力切換部材は、上記スライドプレートの移動経路のうち変曲点を基準として、上記スライドプレートが閉鎖される位置にある時には上記スライドプレートに閉鎖方向へ弾性力を加え、上記スライドプレートが開放される位置にある時には上記スライドプレートに開放方向へ弾性力を加えることを特徴とする請求項２３に記載のスライド開閉装置。
【請求項２６】
上記動力切換部材は、上記スライドプレートの開放方向の移動距離を、上記スライドプレートの閉鎖方向の移動距離より短くしたことを特徴とする請求項２３に記載のスライド開閉装置。
【請求項２７】
上記スライドプレートが移動する方向に対しては、上記弾性部材と同一方向に弾性力を発生させ、上記スライドプレートが移動する方向と直交する方向に対しては、上記弾性部材の弾性力とは対称方向に弾性力を発生させ、上記スライドプレートが上記直交方向に対して均等な力を受けるようにするための補正弾性手段をさらに含むことを特徴とする請求項１に記載のスライド開閉装置。
【請求項２８】
上記補正弾性手段は、
上記メインプレートの第１地点に回転可能に結合される第１ブロック；
上記スライドプレートの第２地点に回転可能に結合される第２ブロック；
上記第１ブロック及び上記第２ブロック間を伸縮可能に連結するガイド軸；及び
上記ガイド軸に結合されて上記第１ブロック及び上記第２ブロックを離隔する方向に弾性力を発生させる弾性部材；を含んでなる請求項２７に記載のスライド開閉装置。
【請求項２９】
上記第２ブロックは、
上記スライドプレートの移動経路のうち変曲点を基準として、上記スライドプレートが閉鎖される位置にある時には、上記第１ブロックから閉鎖方向に位置することによって、上記弾性部材の弾性力が上記スライドプレートの閉鎖方向に作用し、
上記スライドプレートが開放される位置にある時には、上記第１ブロックから開放方向に位置することによって、上記弾性部材の弾性力が上記スライドプレートの閉鎖方向に作用することを特徴とする請求項２８に記載の携帯端末機のスライド開閉装置。
【請求項３０】
上記第２ブロックは、上記スライドプレートのオープン時の移動距離を、上記スライドプレートのクローズ時の移動距離より短くする位置に設置されたことを特徴とする請求項２８に記載のスライド開閉装置。
【請求項３１】
上記ガイド軸は、
上記第１ブロック又は上記第２ブロックのうち一方に固定され、上記第１ブロックと上記第２ブロックとの間の最短距離より長さの短い雌シャフト；及び
上記第１ブロック又は上記第２ブロックのうち他方に固定され、上記第１ブロックと上記第２ブロックとの間の最短距離より短いながら、上記スライドプレートの開閉過程で、上記雌シャフトの内部でスライド可能な長さの雄シャフト；を含んでなることを特徴とする請求項２８に記載の携帯端末機のスライド開閉装置。
【請求項３２】
上記弾性部材は、圧縮スプリングからなることを特徴とする請求項２８に記載のスライド開閉装置。
【請求項３３】
メインボディー；
上記メインボディーからスライド可能に結合されるサブボディー；
上記サブボディーを、上記メインボディーに引き込まれた状態又は引き出された状態のうち、いずれかの位置に固定するためのストッパー部；及び
上記サブボディーが上記メインボディーから引き出される方向又は引き込まれる方向に弾性を加える弾性部；を含むスライド開閉装置を備えた携帯端末機。
【請求項３４】
上記メインボディーにはキーパッドが装着され、上記サブボディーには液晶画面が設けられたことを特徴とする請求項３３に記載のスライド開閉装置を備えた携帯端末機。
【請求項３５】
上記メインボディーには、側方向から内部へ収納空間が形成され、上記収納空間に上記サブボディーが出入りすることを特徴とする請求項３３に記載のスライド開閉装置を備えた携帯端末機。
【請求項３６】
上記ストッパー部は、
上記サブボディーに形成される係止突起に係止するフックが形成され、スライド方向に第１長孔が形成され、一端が上記メインボディーの内部から外部へ出没するスライディングバー；
上記メインボディーに形成され、上記第１長孔に結合される第１ピン；及び
上記フックが上記係止突起に係止する方向に上記スライディングバーを弾持する圧縮スプリング；を含むことを特徴とする請求項３３に記載のスライド開閉装置を備えた携帯端末機。
【請求項３７】
上記弾性部は、
上記一端が上記メインボディーに支持され、他端がサブボディーに支持される第１クロスバー；
上記第１クロスバーと互いに交差するように位置し、一端が上記メインボディーに支持され、他端がサブボディーに支持される第２クロスバー；
上記第１クロスバー及び上記第２クロスバーの中心領域に結合され、上記第１クロスバー及び上記第２クロスバーが相対回転するようにする第２ピン；
上記第２ピンに結合され、上記第１クロスバー及び上記第２クロスバーが上記サブボディーを押圧する方向に弾性を加えるトーションスプリングからなることを特徴とする請求項３３に記載のスライド開閉装置を備えた携帯端末機。
【請求項３８】
上記弾性部は、直列連結方式で２つ以上が設けられたことを特徴とする請求項３７に記載のスライド開閉装置を備えた携帯端末機。
【請求項３９】
上記弾性部は、上記第１クロスバー及び上記第２クロスバーの一端がそれぞれ結合され、上記メインボディーに固定される第１ブラケット；
上記第１クロスバー及び上記第２クロスバーの他端がそれぞれ結合され、上記サブボディーに固定される第２ブラケット；及び
上記メインボディーの内部の両側にそれぞれ固定され、上記第１ブラケット及び上記第２ブラケットの両端がそれぞれスライド可能に結合されるガイド溝が形成された一対のガイドレール；をさらに含むことを特徴とする請求項３７に記載のスライド開閉装置を備えた携帯端末機。
【請求項４０】
メインボディー；
上記メインボディーに結合されるメインプレート；
上記メインプレートにスライド可能に結合されるスライドプレート；
上記スライドプレートに回転可能に結合される回転プレート；
上記スライドプレートに固定結合されるサブボディー；及び
上記回転プレートに固定され上記サブボディー上で回転するディススプレー装置；を含んでなるスライド開閉装置を備えた携帯端末機。
【請求項４１】
上記スライドプレートにはスライド軸が固定され、上記メインプレートには上記スライド軸にスライド可能に結合される軸ホルダーが形成されたことを特徴とする請求項４０に記載のスライド開閉装置を備えた携帯端末機。
【請求項４２】
上記スライド開閉装置を有する携帯端末機は、
上記スライドプレートの移動経路のうち一定の地点を基準として、上記スライドプレートが閉鎖位置に近い時には上記スライドプレートに閉鎖方向へ弾性力を加え、上記スライドプレートが開放位置に近い時には上記スライドプレートに開放方向へ弾性力を加える第１弾性部材を含んでなる請求項４０に記載のスライド開閉装置を備えた携帯端末機。
【請求項４３】
上記第１弾性部材の力の方向の変曲点は、上記メインプレートが閉じた地点から総移動距離の１／２以内に位置することを特徴とする請求項４２に記載のスライド開閉装置を備えた携帯端末機。
【請求項４４】
上記第１弾性部材は、一端部が上記メインプレートに支持され、他端部が上記スライドプレートに支持されたトーションスプリングからなることを特徴とする請求項４２に記載のスライド開閉装置を備えた携帯端末機。
【請求項４５】
上記第１弾性部材は、
一端部が上記メインプレートに支持され、
他端部が上記回転プレートに支持され、上記回転プレートが回転しない状態では、上記回転プレートに初期状態を維持するように弾性力を加え、上記回転プレートが回転した状態では、上記回転プレートに回転した状態を維持するように弾性力を加えるトーションスプリングからなることを特徴とする請求項４２に記載のスライド開閉装置を備えた携帯端末機。
【請求項４６】
上記第１弾性部材の巻線部分は、同心円上で半径が次第に拡張されるように複数巻かれたことを特徴とする請求項４４又は請求項４５に記載のスライド開閉装置を備えた携帯端末機。
【請求項４７】
上記スライド開閉装置を備えた携帯端末機は、
上記回転プレートが回転しない状態では、上記回転プレートに初期状態を維持するように弾性力を加え、上記回転プレートが回転した状態では、上記回転プレートに回転した状態を維持するように弾性力を加える第２弾性部材をさらに備えたことを特徴とする請求項４０に記載のスライド開閉装置を備えた携帯端末機。
【請求項４８】
上記第２弾性部材は、一端部が上記スライドプレートに支持され、他端部が上記回転プレートに支持されたトーションスプリングからなることを特徴とする請求項４７に記載のスライド開閉装置を備えた携帯端末機。
【請求項４９】
上記第２弾性部材の巻線部分は、同心円上で半径が次第に拡張されるように複数巻かれたことを特徴とする請求項４８に記載のスライド開閉装置を備えた携帯端末機。
【請求項５０】
上記回転プレートは、上記回転プレートの中心に形成される貫通孔を通過して、上記スライドプレートに締結される中心軸を軸にして回転することを特徴とする請求項４０に記載のスライド及び回転型通信端末機。
【請求項５１】
上記スライドプレートには、上記回転プレートの中心領域の底面を支持するためのテーブル部が形成されたことを特徴とする請求項５０に記載のスライド開閉装置を備えた携帯端末機。
【請求項５２】
上記スライド開閉装置を備えた携帯端末機には、上記回転プレートの回転角度を制限するための回転制限手段をさらに備えたことを特徴とする請求項４０に記載のスライド開閉装置を備えた携帯端末機。
【請求項５３】
上記回転制限手段は、上記スライドプレート又は上記回転プレートのうち一方に形成され、他方に形成される軌跡溝に挿入される回転制限突起からなり、
上記回転制限突起は、上記軌跡溝の両端にそれぞれ接触し、上記回転プレートが回転しない状態と回転した状態でそれ以上回転しないように制動する役割をすることを特徴とする請求項５２に記載のスライド開閉装置を備えた携帯端末機。
【発明の詳細な説明】
【技術分野】
【０００１】
本発明は、スライド開閉装置及びこれを備えた携帯端末機に関し、より詳しくは、スライドプレートに初期にのみ力を加えれば、スライドプレートがメインプレートから自動的にオープン又はクローズするスライド開閉装置と、上記スライド開閉装置が装着されて、サブボディーがメインボディーからスライド動作により開閉される携帯端末機に関する。
【背景技術】
【０００２】
一般に、スライド開閉装置は、物品を連結する一方、物品を相互に対してスライドするようにする部品をいう。上記スライド開閉装置は、冷蔵庫のような家電製品、複写機のような事務用機器、ノートブックモニター及びＬＣＤモニターのようなコンピュータ機器、及びセル方式の携帯電話（セルラホン）、デジタル携帯電話（PCSホン）、ＰＤＡのような通信機器など、多様な分野で使用されている。
【０００３】
最近は、携帯用無線端末機の普及率増大につれて、携帯端末機に対して単純な無線通信の固有機能だけでなく、開閉動作においても使用者の趣向に合う付加的な機能が要求されている。
【０００４】
かかる要求に従って、携帯端末機は一般のバータイプをはじめ、フリップタイプ、フリップアップタイプ、フォルダータイプなどに発展し、現在はフォルダータイプの端末機が主流をなしている。
【０００５】
これは、フォルダータイプの端末機が、ディスプレー装置としてワイドＬＣＤモジュールを採用するほどに空間的に充分な余裕があり、また半分に折り畳んで携帯するため、携帯性においても他の端末機より優れているからである。
【０００６】
一方、フォルダータイプの端末機と類似した大きさのワイドＬＣＤモジュールを備えたディスプレー装置を有することができ、これと同時に端末機の小型化に寄与可能なスライドタイプの端末機が知られている。
【０００７】
このようなスライド方式の端末機は、メインボディー上でカバーに該当するサブボディーがスライド動作により開閉されるもので、既存のフォルダータイプの端末機の長所をそのまま生かしながら、新しい動作により開閉されるという付加的な長所を有している。
【０００８】
このようなスライド方式の端末機としては、Himac  Corporationによって出願されたスライドタイプの携帯用無線端末機がある（韓国実用新案登録出願第２００３−１３６号）。
【０００９】
同出願に開示された端末機は、サブボディーをメインボディー上でガイドするためのガイド手段、及びサブボディーとメインボディーとの間で、サブボディーの一定のスライド位置を基準として、開放方向又は閉鎖方向へと加圧力の方向を変化させるように設けられる少なくとも一つの弾性手段を含んでいる。そして、弾性手段によってサブボディーが完全な開放又は閉鎖動作をする際に、別途のストッパー無しに最大開放位置又は最大閉鎖位置を維持することができる。このような弾性手段として、一端がメインボディーに固定され、他端がサブボディーに固定されるトーションスプリングを採用している。
【００１０】
このような端末機は、サブボディーの移動と共にトーションスプリングも回転しながらサブボディーに回転力を加えるので、トーションスプリングが大幅に緊張しては復元されることになる。かかる理由で、トーションスプリングは動作が大きい反面、弾性力が少ないものを使用し、不足分の弾性力を補充するために、二つのトーションスプリングを配置した。
【００１１】
しかし、上記端末機は二つのトーションスプリングを設置するにも拘わらず、トーションスプリングの特性上、充分な弾性力が発生せずにトーションスプリングが大幅に変形されるので、反復動作による疲労のため老化しやく、早期に正常的な機能を喪失してしまうという問題点があった。
【発明の開示】
【発明が解決しようとする課題】
【００１２】
本発明は、上記のような問題点を解決するために案出されたものであり、本発明の第１の目的は、弾性部材の弾性力をスライドプレートに対する押圧力へと変換して伝達するための動力切換部材を使用することによって、スライドプレートへの押圧力を増大させると同時に、弾性部材の変位を減少させて、弾性部材の寿命を延長することにある。
【００１３】
本発明の第２の目的は、携帯端末機のサブボディーがメインボディーからスライド方式によって、またボタンを押すことによって自動で動作するようにすることにより、携帯端末機を開閉するに当って使用者に便利さを提供することにある。
【００１４】
本発明の第３の目的は、サブボディーがメインボディーからスライド方式によって開閉され、サブボディーに設置されるディスプレー装置が回転するようにすることによって、ディスプレー装置の画面全体を使用して水平方向に長い映像をディスプレーすることにある。
【課題を解決するための手段】
【００１５】
上記第１の目的を達成するための本発明は、メインプレート；上記メインプレートに一方向へスライドするように結合されるスライドプレート；上記メインプレートに支持されて一方向へ弾性力を発生させる弾性部材；及び上記弾性部材の弾性力を受け、上記スライドプレートの移動経路のうち一定の地点を基準として、上記スライドプレートが閉鎖される位置にある時には上記スライドプレートに閉鎖方向へ弾性力を加え、上記スライドプレートが開放される位置にある時には上記スライドプレートに開放方向へ弾性力を加える動力切換部材；を含むスライド開閉装置を提供する。
【００１６】
本発明の一態様によれば、上記スライドプレートには、移動方向に沿って一つ以上のガイドスリットが形成され、上記メインプレートには、それぞれの上記ガイドスリットにスライドするように結合されるガイドリブが形成される。
【００１７】
上記弾性部材は、一端が上記メインプレートに支持され、他端が上記動力切換部材に支持されて広がるように弾性力を発生させるトーションスプリングからなる。
【００１８】
上記動力切換部材は、一端が、上記弾性部材に連結されるとともに、上記スライドプレートが移動する方向と直交する方向にだけ流動できるように上記メインプレート上にガイドされ、他端が、上記スライドプレートに回転可能に連結された回動アームからなる。
【００１９】
本発明の別の一態様によれば、上記動力切換部材は、上記弾性部材に弾性力を受けるように固定されている移動ブロックからなり、上記スライドプレートには、上記移動ブロックの弾性力を受けて上記スライドプレートがオープンする方向に力を加える角度を有する第１傾斜部と、上記第１傾斜部と連結されて上記スライドプレートがクローズする方向に力を加える角度を有する第２傾斜部とからなるカム溝が形成される。
【００２０】
上記移動ブロックは、上記弾性部材に結合され、上記カム溝にスライドするように結合される突起部を有するカム軸；上記メインプレートに、上記弾性部材の弾性力が加えられる方向に形成される長孔に、スライドするように結合されるブッシュ；及び上記ブッシュを貫通し、上記カム軸に締結されるスクリュー；を含んでなる。
【００２１】
上記スライド開閉装置は、上記弾性部材と上記動力切換部材の連結部位が上記弾性部材の弾性力が加えられる方向に沿って移動するようにガイドし、上記スライドプレートが上記メインプレートに閉じた状態で、上記スライドプレートがそれ以上閉鎖方向へ移動しないように、また上記スライドプレートが上記メインプレートから開いた状態で、上記スライドプレートがそれ以上開放方向へ移動しないように、上記動力切換部材に制動力を発生させるガイド部材；をさらに含む。
【００２２】
上記ガイド部材は、上記弾性部材と上記動力切換部材を連結するガイドピンからなり、上記スライドプレートには、上記スライドプレートの移動方向と直交する方向に上記ガイドピンが移動するようにガイドするための長孔が形成される。
【００２３】
本発明の別の一態様によれば、上記動力切換部材は、上記弾性部材の固定される第１端部が上記スライドプレートに軸回転可能に結合され、第２端部は上記弾性部材が上記メインプレートに連結された地点を中心に所定距離の直線移動及び軸回転するように結合されるリンクからなる。
【００２４】
上記動力切換部材は、上記スライドプレートから突出する第１回転軸に回転可能に結合される第１軸孔が第１端部に形成され、上記メインプレートから突出する第２回転軸の移動空間を提供する長孔が第２端部に形成されたリンクからなる。
【００２５】
上記開閉装置は、上記スライドプレートの上記メインプレートに対する閉鎖位置と開放位置において、上記長孔の端部が上記第２回転軸に係止するようにすることによって、上記スライドプレートの移動距離を制限する。
【００２６】
上記スライドプレートには第２ボスを形成し、上記リンクには、上記スライドプレートが上記メインプレートに対して完全に閉じる地点まで移動する前に上記第２ボスに係止して上記リンクの回転を制限する係止部を形成することによって、上記スライドプレートの閉鎖方向の移動距離を上記スライドプレートの開放方向の移動距離より短くする。
【００２７】
上記弾性部材は、上記第１軸孔と上記長孔との間の上記リンクに形成される第１ボスに一端が固定され、上記第２回転軸に他端が回転可能に結合され、広がる方向に弾性力を発生させるトーションスプリングからなる。
【００２８】
上記動力切換部材は、上記スライドプレートから突出する第３回転軸に回転可能に結合される第２軸孔が形成された第１ブロック；上記第１ブロックに固定される１つ以上の棒部；上記棒部がスライドするように結合される貫通孔が形成され、上記スライドプレートに形成される第２ボスに回転可能に結合される第３軸孔が形成された第２ブロック；を含んでなる。
【００２９】
上記開閉装置は、上記貫通孔を通過した棒部には係止片を固定し、上記スライドプレートの閉鎖位置と開放位置で上記係止片が上記第２ブロックに係止するようにすることによって、上記スライドプレートの移動距離を制限する。
【００３０】
上記第１ブロックは非円形に形成し、上記スライドプレートには、上記スライドプレートが上記メインプレートに対して完全に閉じる地点まで移動する前に上記第１ブロックの回転を制限する係止段を形成することによって、上記スライドプレートの閉鎖方向の移動距離を上記スライドプレートの開放方向の移動距離より短くする。
【００３１】
上記弾性部材は、上記棒部に結合され、上記第１ブロックと上記第２ブロックとが離隔する方向に弾性力を発生させる圧縮スプリングからなる。
【００３２】
本発明のまた別の一態様によれば、上記動力切換部材は、上記メインプレートの第１地点に回転可能に結合される第１ブロックと、上記第１地点と移動経路が一致しない上記スライドプレートの第２地点に回転可能に結合される第２ブロックと、上記第１ブロック及び上記第２ブロック間を伸縮可能に連結する棒部材からなり、
上記弾性部材は、上記棒部材に結合され、上記第１ブロック及び上記第２ブロックを離隔する方向に弾性力を発生させる。
【００３３】
上記第２ブロックは、上記スライドプレートの移動経路のうち変曲点を基準として、上記スライドプレートが閉鎖される位置にある時には、上記第１ブロックから閉鎖方向に位置することによって、上記弾性部材の弾性力が上記スライドプレートの閉鎖方向に作用するようにし、上記スライドプレートが開放される位置にある時には、上記第１ブロックから開放方向に位置することによって、上記弾性部材の弾性力が上記スライドプレートの閉鎖方向に作用するようにする。
【００３４】
上記第２ブロックは、上記スライドプレートのオープン時の移動距離を、上記スライドプレートのクローズ時の移動距離より短くする位置に設置される。
【００３５】
上記棒部材は、上記第１ブロック又は上記第２ブロックのうち一方に固定され、上記第１ブロックと上記第２ブロックとの間の最短距離より長さの短い雌シャフト；及び、上記第１ブロック又は上記第２ブロックのうち他方に固定され、上記第１ブロックと上記第２ブロックとの間の最短距離より短いながら、上記スライドプレートの開閉過程で、上記雌シャフトの内部でスライド可能な長さの雄シャフト；を含んでなる。
【００３６】
上記弾性部材は、圧縮スプリングからなる。
【００３７】
本発明のまた別の態様によれば、上記弾性部材は、引張力を発生させ、上記動力切換部材は、上記メインプレートの第１地点と上記スライドプレートの第２地点とを連結する２つ以上のリンク列からなり、それぞれの上記リンク列は１つ以上の屈折点を有する２つ以上のリンクからなり、２つ以上の上記リンク列は、上記弾性部材の引張力を受けて上記第１地点と上記第２地点とを離隔しようとする方向に弾性力を発生させる。
【００３８】
上記弾性部材は、引張スプリングからなる。
【００３９】
上記動力切換部材は、上記スライドプレートの移動経路のうち変曲点を基準として、上記スライドプレートが閉鎖される位置にある時には上記スライドプレートに閉鎖方向へ弾性力を加え、上記スライドプレートが開放される位置にある時には上記スライドプレートに開放方向へ弾性力を加える。
【００４０】
上記動力切換部材は、上記スライドプレートの開放方向の移動距離を、上記スライドプレートの閉鎖方向の移動距離より短くする。
【００４１】
本発明のまた別の態様によれば、上記スライドプレートが移動する方向に対しては、上記弾性部材と同一方向に弾性力を発生させ、上記スライドプレートが移動する方向と直交する方向に対しては、上記弾性部材の弾性力とは対称方向に弾性力を発生させ、上記スライドプレートが上記直交方向に対して均等な力を受けるようにするための補正弾性手段をもさらに含む。
【００４２】
上記補正弾性手段は、上記メインプレートの第１地点に回転可能に結合される第１ブロック；上記スライドプレートの第２地点に回転可能に結合される第２ブロック；上記第１ブロック及び上記第２ブロック間を伸縮可能に連結するガイド軸；上記ガイド軸に結合されて上記第１ブロック及び上記第２ブロックを離隔する方向に弾性力を発生させる弾性部材；を含んでなる。
【００４３】
上記第２ブロックは、上記スライドプレートの移動経路のうち変曲点を基準として、上記スライドプレートが閉鎖される位置にある時には、上記第１ブロックから閉鎖方向に位置することによって、上記弾性部材の弾性力が上記スライドプレートの閉鎖方向に作用するようにし、上記スライドプレートが開放される位置にある時には、上記第１ブロックから開放方向に位置することによって、上記弾性部材の弾性力が上記スライドプレートの閉鎖方向に作用するようにする。
【００４４】
上記第２ブロックは、上記スライドプレートのオープン時の移動距離を、上記スライドプレートのクローズ時の移動距離より短くする位置に設置される。
【００４５】
上記ガイド軸は、上記第１ブロック又は上記第２ブロックのうち一方に固定され、上記第１ブロックと上記第２ブロックとの間の最短距離より長さの短い雌シャフト；及び上記第１ブロック又は上記第２ブロックのうち他方に固定され、上記第１ブロックと上記第２ブロックとの間の最短距離より短いながら、上記スライドプレートの開閉過程で、上記雌シャフトの内部でスライド可能な長さの雄シャフト；を含んでなる。
【００４６】
上記弾性部材は、圧縮スプリングからなる。
【００４７】
上記第２の目的を達成するための本発明は、メインボディー；上記メインボディーからスライド可能に結合されるサブボディー；上記サブボディーを、上記メインボディーに引き込まれた状態又は引き出された状態のうち、いずれかの位置に固定するためのストッパー部；及び上記サブボディーが上記メインボディーから引き出される方向又は引き込まれる方向に弾性を加える弾性部；を含むスライド開閉装置を備えた携帯端末機を提供する。
【００４８】
上記メインボディーにはキーパッドが装着され、上記サブボディーには液晶画面が設けられる。
【００４９】
上記メインボディーには、側方向から内部へ収納空間が形成され、上記収納空間に上記サブボディーが出入りする。
【００５０】
上記ストッパー部は、上記サブボディーに形成される係止突起に係止するフックが形成され、スライド方向に第１長孔が形成され、一端が上記メインボディーの内部から外部へ出没するスライディングバー；上記メインボディーに形成され、上記第１長孔に結合される第１ピン；及び、上記フックが上記係止突起に係止する方向に上記スライディングバーを弾持する圧縮スプリング；を含む。
【００５１】
上記弾性部は、上記一端が上記メインボディーに支持され、他端がサブボディーに支持される第１クロスバー；上記第１クロスバーと互いに交差するように位置し、一端が上記メインボディーに支持され、他端がサブボディーに支持される第２クロスバー；上記第１クロスバー及び上記第２クロスバーの中心領域に結合され、上記第１クロスバー及び上記第２クロスバーが相対回転するようにする第２ピン；上記第２ピンに結合され、上記第１クロスバー及び上記第２クロスバーが上記サブボディーを押圧する方向に弾性を加えるトーションスプリングからなる。
【００５２】
上記弾性部は、直列連結方式で２つ以上が設けられる。
【００５３】
上記弾性部は、上記第１クロスバー及び上記第２クロスバーの一端がそれぞれ結合され、上記メインボディーに固定される第１ブラケット；上記第１クロスバー及び上記第２クロスバーの他端がそれぞれ結合され、上記サブボディーに固定される第２ブラケット；及び、上記メインボディーの内部の両側にそれぞれ固定され、上記第１ブラケット及び上記第２ブラケットの両端がそれぞれスライド可能に結合されるガイド溝が形成された一対のガイドレール；をさらに含む。
【００５４】
上記第３の目的を達成するための本発明は、メインボディー；上記メインボディーに結合されるメインプレート；上記メインプレートにスライド可能に結合されるスライドプレート；上記スライドプレートに回転可能に結合される回転プレート；上記スライドプレートに固定結合されるサブボディー；及び、上記回転プレートに固定され上記サブボディー上で回転するディススプレー装置；を含んでなるスライド開閉装置を備えた携帯端末機を提供する。
【００５５】
上記スライドプレートにはスライド軸が固定され、上記メインプレートには上記スライド軸にスライド可能に結合される軸ホルダーが形成される。
【００５６】
上記スライド開閉装置を有する携帯端末機は、上記スライドプレートの移動経路のうち一定の地点を基準として、上記スライドプレートが閉鎖位置に近い時には上記スライドプレートに閉鎖方向へ弾性力を加え、上記スライドプレートが開放位置に近い時には上記スライドプレートに開放方向へ弾性力を加える第１弾性部材を含んでなる。
【００５７】
上記第１弾性部材の力の方向の変曲点は、上記メインプレートが閉じた地点から総移動距離の１／２以内に位置するようにする。
【００５８】
上記第１弾性部材は、一端部が上記メインプレートに支持され、他端部が上記スライドプレートに支持されたトーションスプリングからなる。
【００５９】
上記第１弾性部材は、一端部が上記メインプレートに支持され、他端部が上記回転プレートに支持され、上記回転プレートが回転しない状態では、上記回転プレートに初期状態を維持するように弾性力を加え、上記回転プレートが回転した状態では、上記回転プレートに回転した状態を維持するように弾性力を加えるトーションスプリングからなる。
【００６０】
上記第１弾性部材の巻線部分は、同心円上で半径が次第に拡張されるように複数巻かれる。
【００６１】
上記スライド開閉装置を備えた携帯端末機は、上記回転プレートが回転しない状態では、上記回転プレートに初期状態を維持するように弾性力を加え、上記回転プレートが回転した状態では、上記回転プレートに回転した状態を維持するように弾性力を加える第２弾性部材がさらに備えられる。
【００６２】
上記第２弾性部材は、一端部が上記スライドプレートに支持され、他端部が上記回転プレートに支持されたトーションスプリングからなる。
【００６３】
上記第２弾性部材の巻線部分は、同心円上で半径が次第に拡張されるように複数巻かれる。
【００６４】
上記回転プレートは、上記回転プレートの中心に形成される貫通孔を通過して、上記スライドプレートに締結される中心軸を軸にして回転する。
【００６５】
上記スライドプレートには、上記回転プレートの中心領域の底面を支持するためのテーブル部が形成される。
【００６６】
上記スライド開閉装置を備えた携帯端末機には、上記回転プレートの回転角度を制限するための回転制限手段がさらに備えられる。
【００６７】
上記回転制限手段は、上記スライドプレート又は上記回転プレートのうち一方に形成され、他方に形成される軌跡溝に挿入される回転制限突起からなり、上記回転制限突起は、上記軌跡溝の両端にそれぞれ接触し、上記回転プレートが回転しない状態と回転した状態でそれ以上回転しないように制動する役割をする。
【発明を実施するための最良の形態】
【００６８】
以下、添付図面を参照しながら、本発明の望ましい実施例によるスライド開閉装置について詳しく説明する。
【００６９】
図１は、本発明の第１実施例によるスライド開閉装置及びこれを備えた携帯端末機の分解斜視図である。
【００７０】
携帯端末機を構成するメインボディー１１００の表面にはキーパッド１１０２が装着され、内部には各種機能を行うメインボードが内蔵される。そして、サブボディー１１２０には液晶画面１１２２が設けられ、サブボディー１１２０とメインボディー１１００はフレキシブルＰＣＢを通して電気的に連結される。
【００７１】
メインプレート１１３０はメインボディー１１００に結合され、スライドプレート１１５０はサブボディー１１２０に結合され、メインプレート１１３０に一方向へスライドするように結合される。
【００７２】
そして、スライドプレート１１５０にはガイドスリット１１５２が形成され、メインプレート１１３０にはガイドスリット１１５２が一定の経路上でスライドするようにガイドするガイドリブ１１３２が形成される。
【００７３】
弾性部材はメインプレート１１３０に支持され、一方向に弾性力を発生させる。このような弾性部材は、一端がメインプレート１１３０に固定され、他端は自由端として固定された端部に向かって近づく弾性力を発生させるトーションスプリング１１６０からなる。
【００７４】
トーションスプリング１１６０の設置のために、メインプレート１１３０には
第１ボス１１３６が形成され、トーションスプリング１１６０の固定端には第１ボス１１３６に結合される第１リング部１１６２が形成され、自由端には第２リング部１１６４が形成される。
【００７５】
動力切換部材は、スライドプレート１１５０と弾性部材に連結して設けられ、上記弾性部材の弾性力を受けて、スライドプレート１１５０の移動経路のうち
一定の地点を基準として、スライドプレート１１５０が閉鎖される位置にある時にはスライドプレート１１５０に閉鎖方向へ弾性力を加え、スライドプレート１１５０が開放される位置にある時にはスライドプレート１１５０に開放方向へ弾性力を加える。
【００７６】
このような動力切換部材は、一端が弾性部材に連結されるとともに、スライドプレート１１５０が移動する方向と直交する方向にだけ流動するようにメインプレート１１３０にガイドされ、他端がスライドプレート１１５０に回転可能に連結された回動アーム１１７０からなる。
【００７７】
そして、回動アーム１１７０の一端には第２リング部１１６４に回転可能に結合されるガイドピン１１７２が形成され、他端には回転孔１１７４が形成される。そして、スライドプレート１１５０には、回転孔１１７４に回転可能に結合される第２ボス１１５４が形成される。
【００７８】
ガイド部材は、弾性部材と動力切換部材の連結部位が、弾性部材の弾性力が
加えられる方向に沿って移動するようにガイドし、サブボディー１１２０がメインボディー１１００に閉じた状態で、スライドプレート１１５０がそれ以上閉鎖方向へ移動しないように、またサブボディー１１２０がメインボディー１１００から開いた状態で、スライドプレート１１５０がそれ以上開放方向へ移動しないように、動力切換部に制動力を発生させる。
【００７９】
このようなガイド部材は、弾性部材と動力切換部材の連結部位を、トーションスプリング１１６０が弾性力を加える方向にだけ移動するようにガイドピン１１７２をガイドする長孔１１３４からなる。この長孔１１３４は、スライドプレート１１５０の移動方向と垂直の方向に長く形成される。
【００８０】
本実施例の携帯端末機は、スライドプレート１１５０とメインプレート１１３０が結合されることにより、その内部に位置する回動アーム１１７０とトーションスプリング１１６０の離脱が防止される。
【００８１】
かかる構成により、サブボディー１１２０がメインボディー１１００に閉じた時や開いた時には、回動アーム１１７０のガイドピン１１７２が長孔１１３４に
係止してスライドプレート１１５０の過度な進行を防止することにより、サブボディー１１２０を停止させる作用をする。また、サブボディー１１２０が停止した状態で、トーションスプリング１１６０は回動アームに対して進行し続ける方向に弾性力を加えるので、サブボディー１１２０は閉じた状態又は開放された
状態を維持できるようになる。
【００８２】
このように、回動アーム１１７０は、スライドプレート１１５０が閉じた時と開いた時にスライドプレート１１５０を停止させる作用をするが、付加的に、スライドプレート１１５０の過度な移動を防止する形状的なストッパー構成をメインプレート１１３０とスライドプレート１１５０に形成する必要がある。
【００８３】
このような端末機は、メインボディー１１００に装着されたメインボードに、サブボディー１１２０が開いた時に液晶画面１１２２がオンされるようにし、サブボディー１１２０がメインボディー１１００に閉じた時に液晶画面１１２２がオフされるようにする機能を設定する。
【００８４】
以下、本実施例の作用について説明する。
【００８５】
図２〜図７は、図１における端末機の作用を示した斜視図である。
【００８６】
まず、端末機がクローズした状態は、図２及び図５のように、液晶画面１１２２の設けられたサブボディー１１２０がメインボディー１１００に重なって閉じている状態となる。この時、サブボディー１１２０に結合されたスライドプレート１１５０はトーションスプリング１１６０の弾性力を受ける回動アーム１１７０の押圧力により閉じた状態を維持する。
【００８７】
かかる状態から端末機をオープンするためにサブボディー１１２０を手で押圧すると、サブボディー１１２０とスライドプレート１１５０が共にスライドされる。この時、メインボディー１１００に形成されたガイドリブ１１３２は、スライドプレート１１５０のガイドスリット１１５２をガイドしてスライドプレート１１５０が良好に直線運動をできるようにする。
【００８８】
スライドプレート１１５０が、図３及び図６のようにオープンし始めると、スライドプレート１１５０が回動アーム１１７０の一端を押圧し、回動アーム１１７０はトーションスプリング１１６０の第２リング部１１６４を押圧して広げるようになる。そして、メインプレート１１３０に形成された長孔１１３４は、回動アーム１１７０のガイドピン１１７２がスライドプレート１１５０の移動方向と直交する方向へ移動できるようにガイドする。
【００８９】
初めは力を加えてサブボディー１１２０を押圧しなければならないが、回動アーム１１７０が頂点を過ぎると、再びトーションスプリング１１６０の弾性によりスライドプレート１１５０を開放方向に押圧するようになるので、この時からは、スライドプレート１１５０に力を加えなくても、スライドプレート１１５０は自動で開放位置まで移動する。
【００９０】
サブボディー１１２０が、図４及び図７のように完全にオープンすると、回動アーム１１７０が再びスライドプレート１１５０を引っ張るようになるので、スライドプレート１１５０が停止する。そして、スライドプレート１１５０はトーションスプリング１１６０の弾性力を受ける回動アーム１１７０の押圧力により、開いた状態を維持するようになる。
【００９１】
サブボディー１１２０がオープンすると液晶画面１１２２がオンされるので、使用者は端末機の固有機能を使用できる。
【００９２】
一方、サブボディー１１２０がオープンした状態から端末機をクローズする場合は、使用者は手でサブボディー１１２０を上記と反対方向に押し込む。サブボディー１１２０のクローズ動作は、上記オープン動作と逆の順序からなる。
【００９３】
以下、添付図面を参照しながら、本発明の第２実施例によるスライド開閉装置及びこれを備えた携帯端末機について詳しく説明する。
【００９４】
第２実施例は、第１実施例で説明した携帯端末機とは、弾性部材と動力切換部材の構成において相違する。
【００９５】
図８は、本発明の第２実施例の携帯端末機の分解斜視図である。
【００９６】
まず、弾性部材のトーションスプリング１１６０は、広がる方向に弾性力を加える状態で設けられる。トーションスプリング１１６０の一端に形成された第１リング部１１６２は、メインプレート１１３０に形成された第１ボス１１３６に結合され、他端に形成された第２リング部１１６４に動力切換部材が結合される。
【００９７】
そして、動力切換部材は、弾性部材に弾性力を受けるように固定される移動ブロック；及び、スライドプレート１１５０に形成され、移動ブロックの弾性力を受けて、スライドプレート１１５０をオープンする方向に力を加える第１傾斜部１１５６と、スライドプレート１１５０がクローズする方向に力を加える第２傾斜部１１５８とからなるカム溝１１５５；からなる。従って、第１傾斜部１１５６と第２傾斜部１１５８は、互いに相反する傾斜角をなしつつ互いに連結される。
【００９８】
移動ブロックは、弾性部材に結合されてカム溝１１５５にスライドするように結合される突起部１１８２を有するカム軸１１８０と、メインプレート１１３０に
弾性部材の弾性力が加えられる方向に形成される長孔１１３４にスライドするように結合されるブッシュ１１８６と、ブッシュ１１８６を貫通してカム軸１１８０に締結されるスクリュー１１８８からなる。
【００９９】
以下では、第２実施例の作用について説明する。
【０１００】
図９〜図１１は、図８における端末機の作用を示した斜視図である。
【０１０１】
まず、端末機が図９のようにクローズした状態では、液晶画面１１２２の設けられたサブボディー１１２０がメインボディー１１００に重なって閉じている状態となる。この時、サブボディー１１２０に結合されたスライドプレート１１５０は、トーションスプリング１１６０の弾性力を受けるカム軸１１８０の突起部１１８２がカム溝１１５５の第２傾斜部１１５８を押圧する力により、閉じた状態を維持するようになる。
【０１０２】
かかる状態から端末機をオープンするためにサブボディー１１２０を手で押圧すると、サブボディー１１２０とスライドプレート１１５０が共にスライドする。この時、メインボディー１１００に形成されたガイドリブ１１３２は、スライドプレート１１５０のガイドスリット１１５２をガイドし、スライドプレート１１５０が良好に直線運動をできるようにする。
【０１０３】
スライドプレート１１５０が、図１０のようにオープし始めると、スライドプレート１１５０の第２傾斜部１１５８がカム軸１１８０の突起部１１８２を押圧し、トーションスプリング１１６０の第２リング部１１６４を狭めて緊張させる。そして、メインプレート１１３０に形成された長孔１１３４は、カム軸１１８０と一体に移動するブッシュ１１８６がスライドプレート１１５０の移動方向と垂直な方向へ移動できるようにガイドする。
【０１０４】
初めは力を加えてサブボディー１１２０を押圧しなければならないが、カム軸１１８０が第２傾斜部１１５８を過ぎて第１傾斜部１１５６へ入ると、再びトーションスプリング１１６０の弾性によりスライドプレート１１５０を開放方向に押圧するようになるので、この時からは、スライドプレート１１５０に力を加えなくても、スライドプレート１１５０は自動で開放位置まで移動する。
【０１０５】
サブボディー１１２０が、図１１のように完全にオープンすると、カム軸１１８０が第１傾斜部１１５６の端部に係止してスライドプレート１１５０を引っ張るようになるので、スライドプレート１１５０が停止する。そして、スライドプレート１１５０は、トーションスプリング１１６０の弾性力を受けるカム軸１１８０が第１傾斜部１１５６を押圧する力によって開放状態を維持するようになる。
【０１０６】
サブボディー１１２０がオープンすると液晶画面１１２２がオンされるので、使用者は端末機の固有機能を使用することができるようになる。
【０１０７】
一方、サブボディー１１２０がオープンした状態から端末機をクローズしようとする場合は、使用者は手でサブボディー１１２０を上記と反対方向に押し込む。サブボディー１１２０のクローズ動作は、上記オープン動作と逆の順序からなる。
【０１０８】
以下、添付図面を参照しながら、本発明の第３実施例によるスライド開閉装置及びこれを備えた携帯端末機について詳しく説明する。
【０１０９】
図１２は、本発明の第３実施例による携帯端末機の分解斜視図、図１３は、図１２における開閉装置を他の角度から見た分解斜視図である。
【０１１０】
携帯端末機を構成する第１ボディー２１００の表面にはキーパッドが装着され、内部には各種機能を行うメインボードが内蔵される。そして、第２ボディー２１２０には液晶画面２１２２が設けられ、第２ボディー２１２０と第１ボディー２１００はフレキシブルＰＣＢを通して電気的に連結される。
【０１１１】
メインプレート２１３０は第１ボディー２１００に結合され、スライドプレート２１５０は第２ボディー２１２０に結合されてメインプレート２１３０に一方向へスライドするように結合される。
【０１１２】
このために、スライドプレート２１５０にはガイドスリット２１５２が形成され、メインプレート２１３０にはガイドスリット２１５２が一定の経路上でスライドするようにガイドするガイドリブ２１３２が形成される。
【０１１３】
動力切換部材は、第１端部がスライドプレート２１５０に軸回転可能に結合され、第２端部がメインプレート２１３０に所定距離の直線移動及び軸回転可能に結合されるリンク２１９０からなる。
【０１１４】
リンク２１９０は、第１端部に、スライドプレート２１５０から突出する第１回転軸２１５４に回転可能に結合される第１軸孔２１９２が形成され、第２端部に、メインプレート２１３０から突出する第２回転軸２１３４が移動する空間を
提供する長孔２１９６が形成される。
【０１１５】
リンク２１９０に長孔２１９６を形成することにより、リンク２１９０の第１端部が第２回転軸２１３４から近い距離及び遠い距離にあることが可能になる。
【０１１６】
本実施例の開閉装置は、スライドプレート２１５０のメインプレート２１３０に対する閉鎖位置と開放位置で、長孔２１９６の端部が第２回転軸２１３４に係止するようにすることによって、スライドプレート２１５０の移動距離を制限する。
【０１１７】
また、本実施例は追加的に、スライドプレート２１５０には第２ボス２１５６を形成し、リンク２１９０には、スライドプレート２１５０がメインプレート２１３０に対して完全に閉じる地点まで移動する前に、第２ボス２１５６に係止してリンク２１９０の回転を制限する係止部２１９８を形成することによって、スライドプレート２１５０の閉鎖方向の移動距離をスライドプレート２１５０の開放方向の移動距離より短くする。
【０１１８】
これは、第２ボディー２１２０を開く時に押圧する幅を、閉じる時に押圧する幅よりも小さくすることで、第２ボディー２１２０をオープンする動作を容易にするためである。
【０１１９】
弾性部材は、第１軸孔２１９２と長孔２１９６との間のリンク２１９０に形成される第１ボス２１９４に一端が固定され、第２回転軸２１３４に他端が回転可能に結合され、広がる方向に弾性力を発生させるトーションスプリング２１７０である。
【０１２０】
トーションスプリング２１７０の一端を第１回転軸２１５４に固定せず、リンク２１９０に第１ボス２１９４を形成して固定することによって、スライドプレート２１５０の移動距離に比べてトーションスプリング２１７０の変形量を少なくすることができる。かかる構造により、トーションスプリング２１７０は反復動作による疲労の累積が少なく、弾性力の減退を抑えることができる。
【０１２１】
以下では、第３実施例の作用について説明する。
【０１２２】
まず、図１４は、図１３における開閉装置の閉じた状態を示す結合状態の斜視図、図１５は、図１４の横断面図である。
【０１２３】
端末機がクローズした状態は、液晶画面２１２２の設けられた第２ボディー２１２０が第１ボディー２１００に重なって閉じている状態となる。この時、第２ボディー２１２０に結合されたスライドプレート２１５０は、トーションスプリング２１７０の弾性力を受けるリンク２１９０の押圧力により、閉じた状態を維持する。
【０１２４】
かかる状態から端末機をオープンするために第２ボディー２１２０を手で押圧すると、第２ボディー２１２０とスライドプレート２１５０が共にスライドされる。この時、第１ボディー２１００に形成されたガイドリブ２１３２は、スライドプレート２１５０のガイドスリット２１５２をガイドし、スライドプレート２１５０が良好に直線運動をできる。
【０１２５】
スライドプレート２１５０がオープンし始めると、スライドプレート２１５０がリンク２１９０の一端を押圧し、リンク２１９０はトーションスプリング２１７０を圧縮しながら第２回転軸２１３４を中心に回転するようになる。そして、リンク２１９０に形成された長孔２１９６は、リンク２１９０がスライドプレート２１５０の移動方向と垂直な方向へ移動できるようにすることによって、リンク２１９０がスライドプレート２１５０の側端部に近づいて回転半径が狭くなる部分を過ぎることができる。
【０１２６】
初めは力を加えて第２ボディー２１２０を押圧しなければならないが、リンク２１９０が第２回転軸２１３４と並んだ地点を過ぎると、再びトーションスプリング２１７０の弾性によりスライドプレート２１５０を開放方向に押圧するようになるので、この時からは、スライドプレート２１５０に力を加えなくても、スライドプレート２１５０は自動で開放位置まで移動する。
【０１２７】
図１６は、スライドプレートが開いた状態の斜視図、図１７は、図１６の横断面図である。
【０１２８】
第２ボディー２１２０が完全にオープンすると、リンク２１９０に形成された
長孔２１９６の端部が第２回転軸２１３４に係止するようになり、スライドプレート２１５０が停止する。これと同時に、スライドプレート２１５０はトーションスプリング２１７０の弾性力を受けるリンク２１９０の押圧力により、開いた状態を維持する。
【０１２９】
第２ボディー２１２０がオープンすると液晶画面２１２２がオンされるので、使用者は端末機の固有機能を使用することができる。
【０１３０】
一方、第２ボディー２１２０がオープンした状態から端末機をクローズしようとする場合は、使用者は手で第２ボディー２１２０を上記と反対方向に押し込む。第２ボディー２１２０のクローズ動作は、上記オープン動作と逆の順序からなる。
【０１３１】
そして、第２ボディー２１２０がクローズする位置に達すると、リンク２１９０の係止部２１９８が第２ボス２１５６に係止してリンク２１９０の回転を制限することによって、スライドプレート２１５０及び第２ボディー２１２０が停止する。
【０１３２】
この時も、スライドプレート２１５０は、トーションスプリング２１７０の弾性力を受けるリンク２１９０の押圧力により、閉じた状態を維持するようになる。
【０１３３】
以下、添付図面を参照しながら、本発明の第４実施例によるスライド開閉装置及びこれを備えた携帯端末機について詳しく説明する。
【０１３４】
図１８は、本発明の第４実施例による開閉装置の分解斜視図で、図１９は、図１８における開閉装置を他の角度から見た分解斜視図である。
【０１３５】
第４実施例は、第３実施例とは動力切換部材の構成を異にする。
【０１３６】
このような第４実施例の動力切換部材は、スライドプレート２１５０から突出する第３回転軸２１５７に回転可能に結合される第２軸孔２２０２が形成された第１ブロック２２００；第１ブロック２２００に固定される一つ以上の棒部２２１０；棒部２２１０がスライドするように結合される貫通孔２２２２が形成され、スライドプレート２１５０に形成される第２ボス２１３６に回転可能に結合される第３軸孔２２２４が形成された第２ブロック２２２０からなる。
【０１３７】
棒部２２１０が貫通孔２２２２内でスライドされることにより、第１ブロック２２００がガイド軸２２２４から遠い距離及び近い距離にあることが可能になる。
【０１３８】
貫通孔２２２２を通過した棒部２２１０には係止片２２１２を固定し、スライドプレート２１５０の閉鎖位置と開放位置で、係止片２２１２が第２ブロック２２２０に係止するようにすることで、スライドプレート２１５０の移動距離を制限する。
【０１３９】
また、本実施例には追加的に、第１ブロック２２００を非円形に形成し、スライドプレート２１５０には、スライドプレート２１５０がメインプレート２１３０に対して完全に閉じる地点まで移動する前に、第１ブロック２２００の回転を制限する係止段２１５８を形成することによって、スライドプレート２１５０の閉鎖方向の移動距離をスライドプレート２１５０の開放方向の移動距離より短くする。
【０１４０】
これは、第２ボディー２１２０を開く時に押圧する幅を、閉じるときに押圧する幅よりも小さくすることで、第２ボディー２１２０をオープンする動作を容易にするためである。
【０１４１】
弾性部材は、棒部２２１０に結合され、第１ブロック２２００と第２ブロック２２２０が離隔する方向に弾性力を発生させる圧縮スプリング２１７２である。
【０１４２】
係止部２１９８は、ナットのような締結手段を棒部２２１０にタップを形成して締結することによって、具現されることができる。
【０１４３】
一方、第１ブロック２２００又は第２ブロック２２２０を大きく形成して圧縮
スプリング２１７２の長さを短くすると、スライドプレート２１５０の移動距離に比べて圧縮スプリング２１７２の変形量を少なくすることができる。かかる構造により、圧縮スプリング２１７２は反復動作による疲労の累積が少なく、弾性力の減退を抑えることができる。
【０１４４】
以下では、第４実施例の作用について説明する。
【０１４５】
まず、図２１は、図１９における開閉装置の閉じた状態を示す横断面図である。
【０１４６】
端末機がクローズした状態は、液晶画面２１２２の設けられた第２ボディー２１２０が第１ボディー２１００に重なって閉じている状態となる。この時、第２ボディー２１２０に結合されたスライドプレート２１５０は、圧縮スプリング２１７２の弾性力を受ける第１ブロック２２００の押圧力により、閉じた状態を維持する。
【０１４７】
かかる状態から端末機をオープンするために第２ボディー２１２０を手で押圧すると、第２ボディー２１２０とスライドプレート２１５０が共にスライドする。この時、第１ボディー２１００に形成されたガイドリブ２１３２は、スライドプレート２１５０のガイドスリット２１５２をガイドし、スライドプレート２１５０が良好に直線運動ができる。
【０１４８】
スライドプレート２１５０が、図３及び図６のようにオープンし始めると、スライドプレート２１５０が第１ブロック２２００を押圧し、第１ブロック２２００は圧縮スプリング２１７２を圧縮しながらガイド軸２２２４を中心に回転するようになる。そして、棒部２２１０は、第２ブロック２２２０に形成された貫通孔２２２２内で、スライドプレート２１５０の移動方向と垂直な方向へ移動することによって、第１ブロック２２００が棒部２２１０の回転半径が狭くなる部分を過ぎることができる。
【０１４９】
初めは力を加えて第２ボディー２１２０を押圧しなければならないが、第１ブロック２２００がガイド軸２２２４と並んだ地点を過ぎると、再び圧縮スプリング２１７２の弾性によりスライドプレート２１５０を開放方向に押圧するようになるので、この時からは、スライドプレート２１５０に力を加えなくても、スライドプレート２１５０は自動で開放位置まで移動する。
【０１５０】
図２１は、図１９における開閉装置の開いた状態を示す横断面図である。
【０１５１】
第２ボディー２１２０が完全にオープンすると、棒部２２１０に結合した係止部２１９８が第２ブロック２２２０に係止するようになり、スライドプレート２１５０が停止する。これと同時に、スライドプレート２１５０は、圧縮スプリング２１７２の弾性力を受ける第１ブロック２２００の押圧力により、開いた状態を維持する。
【０１５２】
第２ボディー２１２０がオープンすると液晶画面２１２２がオンされるので、
使用者は端末機の固有機能を使用できる。
【０１５３】
一方、第２ボディー２１２０がオープンした状態から端末機をクローズしようとする場合は、使用者は手で第２ボディー２１２０を上記と反対方向に押し込む。第２ボディー２１２０のクローズ動作は、上記オープン動作と逆の順序からなる。
【０１５４】
そして、第２ボディー２１２０がクローズする位置に達すると、棒部２２１０に結合された係止片２２１２が第２ブロック２２２０に係止して第１ブロック２２００の回転を制限することによって、スライドプレート２１５０及び第２ボディー２１２０が停止する。
【０１５５】
この時にも、スライドプレート２１５０は圧縮スプリング２１７２の弾性力を
受ける第１ブロック２２００の押圧力により、閉じた状態を維持するようになる。
【０１５６】
以下、添付図面を参照しながら、本発明の第５実施例によるスライド開閉装置について詳しく説明する。
【０１５７】
図２２は、第５実施例であるスライド開閉装置の分解斜視図である。
【０１５８】
携帯端末機を構成する第１ボディーの表面にはキーパッドが装着され、内部には各種機能を行うメインボードが内蔵される。そして、第２ボディーには液晶画面が設けられ、第２ボディーと第１ボディーはフレキシブルＰＣＢを通して電気的に連結される。
【０１５９】
メインプレート３１００は、第１ボディーに結合され、スライドプレート３１１０は、第２ボディーに結合されてメインプレート３１００に一方向へスライドするように結合される。
【０１６０】
このために、スライドプレート３１１０にはガイド軸３１１２が固定され、メインプレート３１００にはガイド軸３１１２がスライド可能に結合されるガイド孔３１０２が形成される。
【０１６１】
第１ブロック３１２０は、メインプレート３１００の第１地点に、第１ヒンジ軸３１２２により回転可能に結合される。
【０１６２】
第２ブロック３１３０は、第１地点と移動経路が一致しないスライドプレート３１１０の第２地点に、第２ヒンジ軸３１３２により回転可能に結合される。第２ブロック３１３０は、スライドプレート３１１０の移動経路のうち変曲点を基準として、スライドプレート３１１０が閉鎖される位置にある時には、第１ブロック３１２０から閉鎖方向に位置することによって、弾性部材の弾性力がスライドプレート３１１０の閉鎖方向に作用する。
【０１６３】
スライドプレート３１１０が開放される位置にある時には、第１ブロック３１２０から開放方向に位置することによって、弾性部材の弾性力がスライドプレート３１１０の閉鎖方向に作用する。
【０１６４】
第２ブロック３１３０は、スライドプレート３１１０のオープン時の移動距離をスライドプレート３１１０のクローズ時の移動距離より短くする位置に設けられる。これは、第２ボディー及びスライドプレート３１１０をオープンする動作を迅速にするためである。
【０１６５】
棒部材は、第１ブロック３１２０及び第２ブロック３１３０間を伸縮可能に
連結する。
【０１６６】
このような棒部材は、第１ブロック３１２０に固定され、第１ブロック３１２０と第２ブロック３１３０との間の最短距離より長さの短い雌シャフト３１４０と、第２ブロック３１３０に固定され、第１ブロック３１２０と第２ブロック３１３０との間の最短距離より短いながら、スライドプレート３１１０の開閉過程で雌シャフト３１４０の内部でスライド可能な長さの雄シャフト３１４２からなる。また、連結強度を補充するために、第２ブロック３１３０に雌シャフト３１４０を、第１ブロック３１２０に雄シャフト３１４２を設置する。
【０１６７】
弾性部材は棒部材に結合され、第１ブロック３１２０及び第２ブロック３１３０を離隔する方向に弾性力を発生させる。
【０１６８】
このような弾性部材は、棒部材に挟まれる２つの圧縮スプリング３１５０からなる。
【０１６９】
一方、スライドプレート３１１０がメインプレート３１００に対して完全に閉じた状態と完全に開いた状態で、スライドプレート３１１０の移動を制限するための別途のストッパー(図示省略)が備えられる。
【０１７０】
以下では、第５実施例の作用について説明する。
【０１７１】
端末機の第２ボディーが第１ボディーにクローズした状態は、図２のように、液晶画面の設けられた第２ボディーが第１ボディーに重なって閉じている状態となる。この時、第２ボディーに結合されたスライドプレート３１１０は圧縮スプリング３１５０の弾性力を受ける第２ブロック３１３０の押圧力により、閉じた状態を維持する。
【０１７２】
かかる状態から端末機をオープンするために第２ボディーを手で押圧すると、第２ボディーとスライドプレート３１１０が共にスライドする。この時、スライドプレート３１１０に固定されたガイド軸３１１２は、メインプレート３１００のガイド孔３１０２に沿って移動することにより、スライドプレート３１１０が良好に直線運動をできる。
【０１７３】
スライドプレート３１１０がオープンし始めると、スライドプレート３１１０が第２ブロック３１３０を押圧し、第１ブロック３１２０と第２ブロック３１３０との間隔が近づくようにする。これにより、圧縮スプリング３１５０が圧縮されて弾性力がより大きくなるに従い、スライドプレート３１１０及び第２ボディーがオープンするのを妨害する力として作用する。
【０１７４】
スライドプレート３１１０が妨害する力を克服して移動し続け、図３のように変曲点を過ぎるようになると、再び圧縮スプリング３１５０の弾性により第２ブロック３１３０がスライドプレート３１１０を開放方向に押圧するようになるので、この時からは、第２ボディー及びスライドプレート３１１０に力を加えなくても、スライドプレート３１１０は自動で開放位置まで移動する。
【０１７５】
スライドプレート３１１０が閉鎖位置から変曲点に達する距離が、変曲点から開放位置までの距離より短いので、スライドプレート３１１０及び第２ボディーをオープンする動作が容易に行われる。
【０１７６】
第２ボディーが、図４のように完全にオープンすると、スライドプレート３１１０は、圧縮スプリング３１５０の弾性力を受ける第２ブロック３１３０の押圧力により、開いた状態を維持する。
【０１７７】
第２ボディーがオープンするとキーパッドが露出するので、使用者は端末機の固有機能を使用できる。
【０１７８】
一方、第２ボディーがオープンした状態から端末機をクローズしようとする場合は、使用者は手で第２ボディーをオープン動作時と反対方向に押し込む。第２ボディーのクローズ動作は、オープン動作と逆の順序からなる。
【０１７９】
そして、第２ボディーがクローズする位置に達すると、スライドプレート３１１０は、圧縮スプリング３１５０の弾性力を受ける第２ブロック３１３０の押圧力により、閉じた状態を維持する。
【０１８０】
以下、添付図面を参照しながら、本発明の第６実施例によるスライド開閉装置について詳しく説明する。
【０１８１】
図２６は、本発明の実施例のスライド開閉装置の分解斜視図である。
【０１８２】
携帯端末機を構成する第１ボディーの表面にはキーパッドが装着され、内部には各種機能を行うメインボードが内蔵される。そして、第２ボディーには液晶画面が設けられ、第２ボディーと第１ボディーはフレキシブルＰＣＢを通して電気的に連結される。
【０１８３】
メインプレート４１００は第１ボディーに結合され、スライドプレート４１１０は、第２ボディーに結合されてメインプレート４１００に一方向へスライドするように結合される。
【０１８４】
このために、スライドプレート４１１０にはガイド軸４１１２が固定され、メインプレート４１００にはガイド軸４１１２がスライド可能に結合されるガイド孔４１０２が形成される。
【０１８５】
弾性部材は、引張力を発生させる引張スプリング４１２０からなる。
【０１８６】
動力切換部材は、メインプレート４１００の第１地点とスライドプレート４１１０の第２地点とを連結する２つ以上のリンク列からなり、それぞれのリンク列は、１つ以上の屈折点を有する２つ以上のリンク４１３０からなる。そして、２つ以上のリンク列は、引張スプリング４１２０の引張力を受け、第１地点と第２地点を離隔しようとする方向に弾性力を発生させる。
【０１８７】
それぞれのリンク列は２つのリンク４１３０からなり、各２つのリンク４１３０は屈折ピン４１３６により屈折する。そして、第１地点には、それぞれのリンク列を構成するリンク４１３０の一端部が第１固定ピン４１３２によりメインプレート４１００に回転可能に結合され、第２地点には、それぞれのリンク列を構成するリンク４１３０の他端部が第２固定ピン４１３４によりスライドプレート４１１０に回転可能に結合される。
【０１８８】
このような動力切換部材は、スライドプレート４１１０の移動経路のうち変曲点を基準として、スライドプレート４１１０が閉鎖される位置にある時にはスライドプレート４１１０に閉鎖方向へ弾性力を加え、スライドプレート４１１０が開放される位置にある時にはスライドプレート４１１０に開放方向へ弾性力を加える。
【０１８９】
また、動力切換部材は、スライドプレート４１１０の開放方向の移動距離をスライドプレート４１１０の閉鎖方向の移動距離よりも短くなるように設けられる。これは、第２ボディーを開く時に押圧する幅を、閉じる時に押圧する幅よりも小さくすることで、第２ボディーをオープンする動作を容易にするためである。
【０１９０】
一方、スライドプレート４１１０が、メインプレート４１００に対して完全に
閉じた状態と完全に開いた状態で、スライドプレート４１１０の移動を制限するための別途のストッパー（図示省略）が備えられる。
【０１９１】
以下では、第６実施例の作用について説明する。
【０１９２】
端末機の第２ボディーが第１ボディーにクローズした状態は、図２７のように、液晶画面が設けられた第２ボディーが第１ボディーに重なって閉じている状態となる。この時、第２ボディーに結合されたスライドプレート４１１０は、引張スプリング４１２０の弾性力を受けるリンク４１３０の押圧力により、閉じた状態を維持するようになる。
【０１９３】
かかる状態から端末機をオープンするために第２ボディーを手で押圧すると、第２ボディーとスライドプレート４１１０が共にスライドする。この時、スライドプレート４１１０に固定されたガイド軸４１１２は、メインプレート４１００のガイド孔４１０２に沿って移動することにより、スライドプレート４１１０が良好に直線運動ができる。
【０１９４】
スライドプレート４１１０がオープンし始めると、メインプレート４１００及びスライドプレート４１１０がリンク４１３０の両端部を押圧し、第１固定ピン４１３２と第２固定ピン４１３４との間隔が近づくようにする。これにより、引張スプリング４１２０が膨脹して弾性力がより大きくなるに従って、スライドプレート４１１０及び第２ボディーがオープンするのを妨害する力として作用する。
【０１９５】
スライドプレート４１１０が妨害する力を克服して移動し続け、図２８のように変曲点を過ぎるようになれば、再び引張スプリング４１２０の弾性により、リンク４１３０がスライドプレート４１１０を開放方向に押圧するので、この時からは、第２ボディー及びスライドプレート４１１０に力を加えなくても、スライドプレート４１１０は自動で開放位置まで移動する。
【０１９６】
スライドプレート４１１０の閉鎖位置からスライドプレート４１１０の開放方向に弾性力を受ける変曲点までの距離が残りの距離よりも短いので、スライドプレート４１１０及び第２ボディーをオープンする動作が容易に行われる。
【０１９７】
図２９のように、第２ボディーが完全にオープンすると、スライドプレート４１１０は、引張スプリング４１２０の弾性力を受けるリンク４１３０の押圧力により、開いた状態を維持する。
【０１９８】
第２ボディーがオープンするとキーパッドが露出されるので、使用者は端末機の固有機能を使用することができる。
【０１９９】
一方、第２ボディーがオープンした状態から端末機をクローズしようとする場合は、使用者は手で第２ボディーをオープン動作時と反対方向に押し込む。第２ボディーのクローズ動作は、オープン動作と逆の順序からなる。
【０２００】
そして、第２ボディーがクローズする位置に達すると、スライドプレート４１１０は、引張スプリング４１２０の弾性力を受けるリンク４１３０の押圧力により、閉じた状態を維持する。
【０２０１】
以下、添付図面を参照しながら、本発明の第７実施例によるスライド開閉装置及びこれを備えた携帯端末機について詳しく説明する。
【０２０２】
図３０は、本発明の第７実施例による携帯端末機の分解斜視図である。
【０２０３】
携帯端末機を構成するメインボディー５０１０の表面にはキーパッドが装着され、内部には各種機能を行うメインボードが内蔵される。そして、サブボディー５０２０には液晶画面が設けられ、サブボディー５０２０とメインボディー５０１０はフレキシブルＰＣＢを通して電気的に連結される。
【０２０４】
メインプレート５１００はメインボディー５０１０に結合され、スライドプレート５１１０は、サブボディー５０２０に結合されてメインプレート５１００に
一方向へスライドするように結合される。
【０２０５】
このために、スライドプレート５１１０にはガイド軸５１１２が固定され、メインプレート５１００には、ガイド軸５１１２がスライド可能に結合される軸ホルダー５１０２が形成される。
【０２０６】
このような携帯端末機に、スライドプレートの動作を制御するための第１弾性手段及び第２弾性手段が設けられる。
【０２０７】
第１弾性手段は、一端がメインプレート５１００に支持され、他端がスライドプレート５１１０に支持され、変曲点を基準にスライドプレート５１１０が閉鎖位置に近い時は、スライドプレート５１１０に閉鎖方向及びスライドプレート５１１０の移動方向と直交方向である第１側方向へ弾性力を加え、変曲点を基準にスライドプレート５１１０が開放位置に近い時は、スライドプレート５１１０に開放方向及び第１側方向へ弾性力を加える。
【０２０８】
第２弾性手段は、一端がメインプレート５１００に支持され、他端がスライドプレート５１１０に支持され、変曲点を基準にスライドプレート５１１０が閉鎖位置に近い時は、スライドプレート５１１０に閉鎖方向及び第１側方向と反対方向である第２側方向へ弾性力を加え、変曲点を基準にスライドプレート５１１０が開放位置に近い時は、スライドプレート５１１０に開放方向及び第２側方向へ弾性力を加える。
【０２０９】
第１弾性手段と第２弾性手段を、スライドプレート５１１０の移動方向を基準に互いに別の側方向へ弾性力を発生させるようにしたのは、一つの弾性手段だけを使用したり、又は二つの弾性手段が同一の側方向へ力を発生させるようにする場合、スライドプレート５１１０がメインプレート５１００に対し偏重した力を加えるようになり、ガイド軸５１１２及び軸ホルダー５１０２が損傷したり短期に摩耗される心配があるためである。このような第１弾性手段及び第２弾性手段の変曲点を互いに一致させ、スライドプレート５１１０の動作を円滑にする。
【０２１０】
一方、第１弾性手段及び第２弾性手段をなす第１ブロック５１２０は、メインプレート５１００の第１地点に、第１ヒンジ軸５１２２により回転可能に結合される。
【０２１１】
そして、第２ブロック５１３０は、第１地点と移動経路が一致しないスライドプレート５１１０の第２地点に、第２ヒンジ軸５１３２により回転可能に結合される。
【０２１２】
このような第２ブロック５１３０は、スライドプレート５１１０の移動経路のうち変曲点を基準として、スライドプレート５１１０が閉鎖される位置にある時には、第１ブロック５１２０から閉鎖方向に位置することによって、弾性部材の弾性力がスライドプレート５１１０の閉鎖方向に作用する。
【０２１３】
また、スライドプレート５１１０が開放される位置にある時には、第２ブロック５１３０が第１ブロック５１２０から開放方向に位置することによって、弾性部材の弾性力がスライドプレート５１１０の開放方向に作用する。
【０２１４】
また、第２ブロック５１３０は、スライドプレート５１１０のオープン時の移動距離をスライドプレート５１１０のクローズ時の移動距離より短くする位置に設置される。これは、サブボディー５０２０及びスライドプレート５１１０をオープンする動作を迅速にするためである。
【０２１５】
一方、ガイド軸５１１２は、第１ブロック５１２０及び第２ブロック５１３０間を伸縮可能に連結する。
【０２１６】
このようなガイド軸５１１２は、第１ブロック５１２０に固定され、第１ブロック５１２０と第２ブロック５１３０との間の最短距離より長さの短い雌シャフト５１４０と、第２ブロック５１３０に固定され、
第１ブロック５１２０と第２ブロック５１３０との間の最短距離より短いながら、スライドプレート５１１０の開閉過程で雌シャフト５１４０の内部でスライド可能な長さの雄シャフト５１４２からなる。また、連結強度を補充するために、第２ブロック５１３０に
雌シャフト５１４０を、第１ブロック５１２０に雄シャフト５１４２を設ける。
【０２１７】
一方、弾性部材はガイド軸５１１２に結合され、第１ブロック５１２０及び第２ブロック５１３０を離隔する方向に弾性力を発生させる。
【０２１８】
このような弾性部材は、ガイド軸５１１２に挟まれる２つの圧縮スプリング５１５０からなる。
【０２１９】
一方、スライドプレート５１１０がメインプレート５１００に対して完全に閉じた状態と完全に開いた状態で、スライドプレート５１１０の移動を制限するための別途のストッパー（図示省略）が備えられる。
【０２２０】
以下では、本実施例の作用について説明する。
【０２２１】
図３１は、携帯端末機のサブボディーが閉じた状態を示す横断面図であり、図３２は、図３１の縦断面図である。
【０２２２】
端末機のサブボディー５０２０がメインボディー５０１０にクローズした状態は、液晶画面の設けられたサブボディー５０２０がメインボディー５０１０に重なって閉じている状態となる。この時、サブボディー５０２０に結合されたスライドプレート５１１０は、圧縮スプリング５１５０の弾性力を受ける二つの第２ブロック５１３０の押圧力により、閉じた状態を維持するようになる。
【０２２３】
かかる状態から端末機をオープンするためにサブボディー５０２０を手で押圧すると、サブボディー５０２０とスライドプレート５１１０が共にスライドする。この時、スライドプレート５１１０に固定されたガイド軸５１１２は、メインプレート５１００の軸ホルダー５１０２に沿って移動することにより、スライドプレート５１１０が良好に直線運動ができる。
【０２２４】
スライドプレート５１１０がオープンし始めると、スライドプレート５１１０が第２ブロック５１３０を押圧し、第１ブロック５１２０と第２ブロック５１３０との間隔が近づくようにする。これにより、圧縮スプリング５１５０が圧縮されて弾性力がより大きくなるに従い、スライドプレート５１１０及びサブボディー５０２０がオープンするのを妨害する力として作用する。
【０２２５】
図３３は、携帯端末機のサブボディーが変曲点まで開放された状態の横断面図で、図３４は、図３３の縦断面図である。
【０２２６】
スライドプレート５１１０が妨害する力を克服して移動し続け、変曲点を過ぎるようになると、再び圧縮スプリング５１５０の弾性により、第２ブロック５１３０がスライドプレート５１１０を開放方向に押圧するようになるので、この時からは、サブボディー５０２０及びスライドプレート５１１０に力を加えなくても、スライドプレート５１１０は自動で開放位置まで移動する。
【０２２７】
スライドプレート５１１０が閉鎖位置から変曲点に達する距離が、変曲点から開放位置までの距離より短いので、スライドプレート５１１０及びサブボディー５０２０をオープンする動作が容易になされる。
【０２２８】
図３５は、携帯端末機のサブボディーが完全に開放された状態の横断面図であり、図３６は、図３５の縦断面図である。
【０２２９】
サブボディー５０２０が完全にオープンすると、スライドプレート５１１０は圧縮スプリング５１５０の弾性力を受ける第２ブロック５１３０の押圧力により、開いた状態を維持する。
【０２３０】
サブボディー５０２０がオープンするとキーパッドが露出されるので、使用者は端末機の固有機能を使用することができる。
【０２３１】
一方、サブボディー５０２０がオープンした状態から端末機をクローズしようとする場合は、使用者は手でサブボディー５０２０をオープン動作時と反対方向に押し込む。サブボィー５０２０のクローズ動作は、オープン動作と逆の順序からなる。
【０２３２】
そして、サブボディー５０２０がクローズする位置に達すると、スライドプレート５１１０は圧縮スプリング５１５０の弾性力を受ける第２ブロック５１３０の押圧力により、閉じた状態を維持する。
【０２３３】
以下、添付図面を参照しながら、本発明の第８実施例によるスライド開閉装置を備えた携帯端末機について詳しく説明する。
【０２３４】
図３７は、本発明の第８実施例である携帯端末機の分解斜視図、図３８は、図３７における携帯端末機の結合状態の斜視図、そして図３９は、図３８における携帯端末機からサブボディーが引き出された状態の斜視図である。
【０２３５】
メインボディー６０１０の表面にはキーパッド６０１２が装着され、内部には各種機能を行うメインボードが内蔵される。
【０２３６】
そして、サブボディー６０３０には液晶画面６０３２が設けられ、サブボディー６０３０とメインボディー６０１０はフレキシブルＰＣＢを通して電気的に連結される。
【０２３７】
また、メインボディー６０１０には側方向から内部へ収納空間６０１４が形成され、この収納空間６０１４にサブボディー６０３０が出入りする。即ち、端末機がクローズした状態では、サブボディー６０３０が収納空間６０１４に一部又は完全に挿入され、端末機がオープンした状態では、サブボディー６０３０に設けられた液晶画面６０３２が全て露出し得る程度にサブボディー６０３０が収納空間６０１４から抜け出す。従って、端末機を使用しない時には液晶画面６０３２が露出しないので、外部の接触から液晶画面６０３２を保護することができる。
【０２３８】
一方、ストッパー部は、サブボディー６０３０がメインボディー６０１０の収納空間６０１４内に引き込まれた時に固定する役割をする。
【０２３９】
このようなストッパー部のスライディングバー６１１０は、サブボディー６０３０に形成される係止突起６０３４に係止するフック６１１２が形成され、スライド方向に第１長孔６１１４が形成され、一端がメインボディー６０１０の内部から外部へ出没する。このために、メインボディー６０１０にはスライディングバー６１１０の一端が通過する貫通孔６０１６を形成し、外部でスライディングバー６１１０の一端にボタン６１２０を結合させる。
【０２４０】
そして、メインボディー６０１０には第１長孔６１１４に結合される第１ピン６０２２が形成される。
【０２４１】
そして、フック６１１２が係止突起６０３４に係止する方向に、スライディングバー６１１０を弾持するように圧縮スプリング６１１６が設けられる。圧縮スプリング６１１６のガイドのために、メインボディー６０１０の内部に固定部６０２０を形成する。
【０２４２】
一方、弾性部の第１クロスバー６１３０は、一端がメインボディー６０１０に
支持され、他端がサブボディー６０３０に支持される。そして、第２クロスバー６１４０は第１クロスバー６１３０と互いに交差するように位置し、一端がメインボディー６０１０に支持され、他端がサブボディー６０３０に支持される。
【０２４３】
そして、第１クロスバー６１３０及び第２クロスバー６１４０の中心領域には第２ピン６２０２が結合され、第１クロスバー６１３０及び第２クロスバー６１４０が第２ピン６２０２を中心に相対回転する。
【０２４４】
そして、第１クロスバー６１３０及び第２クロスバー６１４０が上記サブボディー６０３０を押圧する方向に弾性を加えるように、第２ピン６２０２にトーションスプリング６１５０が設けられる。
【０２４５】
このような弾性部は直列連結方式で二つ以上が設けられ、サブボディー６０３０の移動距離を拡張させる。このために、一つの弾性部を構成する第１クロスバー６１３０の端部と、もう一つの弾性部を構成する第２クロスバー６１４０の端部とを、第３ピン６２０４を使用して互いに回転できるようにそれぞれ連結する。
【０２４６】
また、第１クロスバー６１３０及び第２クロスバー６１４０の一端にそれぞれ結合される第１ブラケット６１６０が備えられ、この第１ブラケット６１６０はメインボディー６０１０にスクリュー６２００によって固定される。第１ブラケット６１６０には一対の第２長孔６１６２が形成され、第４ピン６２０６を使用して第１クロスバー６１３０及び第２クロスバー６１４０の一端を第２長孔６１６２に結合させる。第４ピン６２０６は第２長孔６１６２の長さだけ流動できるので、第１クロスバー６１３０及び第２クロスバー６１４０の相対回転が可能である。
【０２４７】
そして、第１クロスバー６１３０及び第２クロスバー６１４０の他端にそれぞれ結合される第２ブラケット６１７０が備えられ、この第２ブラケット６１７０はサブボディー６０３０にスクリュー６２００によって固定される。第２ブラケット６１７０には一対の第３長孔６１７２が形成され、第４ピン６２０６を使用して第１クロスバー６１３０及び第２クロスバー６１４０の他端を第３長孔６１７２に結合させる。第４ピン６２０６は第３長孔６１７２の長さだけ流動できるので、第１クロスバー６１３０及び第２クロスバー６１４０の相対回転が可能である。
【０２４８】
そして、メインボディー６０１０の内部の両側に、一対のガイドレール６１８０がそれぞれ固定される。このガイドレール６１８０には、第１ブラケット６１６０及び第２ブラケット６１７０の両端がそれぞれスライド可能に結合されるガイド溝６１８２が形成される。このようなガイドレール６１８０は、メインボディー６０１０にスクリュー６２００を使用して固定する。
【０２４９】
このような端末機は、サブボディー６０３０が外部に露出する時に液晶画面６０３２がオンされるように、サブボディー６０３０がメインボディー６０１０の収納空間６０１４の中へ入っていく時に液晶画面６０３２がオフされるように、メインボディー６０１０に装着されたメインボードの機能に設定する。
【０２５０】
以下では、本実施例の作用について説明する。
【０２５１】
図４０及び図４１は、図３７における端末機のクローズ状態を示した分解斜視図で、図４２及び図４３は、図３７における端末機のオープン状態を示した分解斜視図である。
【０２５２】
まず、端末機がクローズした状態は、液晶画面６０３２の設けられたサブボディー６０３０がメインボディー６０１０の収納空間６０１４の内部に一部又は完全に入っている状態となる。この時、サブボディー６０３０は第２ブラケット６１７０を通して多数の第１クロスバー６１３０及び第２クロスバー６１４０を圧縮した状態となる。これにより、トーションスプリング６１５０が緊張した状態を維持する。
【０２５３】
そして、スライディングバー６１１０のフック６１１２はサブボディー６０３０の係止突起６０３４に締結され、サブボディー６０３０が収納空間６０１４に引き込まれた状態を維持する。
【０２５４】
このような状態からサブボディー６０３０を引き出させるために、メインボディー６０１０の側面に突出したボタン６１２０を押す。ボタン６１２０を押すことによって、ボタン６１２０とスライディングバー６１１０が同時に移動し、フック６１１２がサブボディー６０３０の係止突起６０３４から離脱するようになる。この時、メインボディー６０１０に形成された第１ピン６０２２は、スライディングバー６１１０の第１長孔６１１４に挿入されており、スライディングバー６１１０が直線運動だけできるようにし、その他の方向には離脱しないようにガイドする。
【０２５５】
フック６１１２が係止突起６０３４から離脱すると、サブボディー６０３０は多数のトーションスプリング６１５０の弾力を受ける第１クロスバー６１３０及び第２クロスバー６１４０の弾性により、収納空間６０１４から外部に抜け出すようになる。この時ボタン６１２０から手を離すと、スライディングバー６１１０は圧縮スプリング６１１６の弾性により、再び原状に突出する。
【０２５６】
サブボディー６０３０が外部に抜け出すと液晶画面６０３２が外部に露出するので、使用者は液晶画面６０３２を見ながら端末機の固有機能を使用することができるようになる。
【０２５７】
このように、サブボディー６０３０が外部にスライドされて出てくる過程は、ボタン６１２０を押す動作により、トーションスプリング６１５０の弾性を受ける第１クロスバー６１３０及び第２クロスバー６１４０が自動でサブボディー６０３０を押圧するようになるので、使用者は片手でも端末機をオープンすることができる。
【０２５８】
また、サブボディー６０３０が引き出された後にも、第１クロスバー６１３０及び第２クロスバー６１４０は引き続きトーションスプリング６１５０の弾性を受けてサブボディー６０３０を引き出される方向に押圧しているので、サブボディー６０３０が引き出された状態を維持する。従って、サブボディー６０３０が引き出された状態を固定するための別途のストッパーは不要である。
【０２５９】
一方、サブボディー６０３０が引き出された状態から端末機をクローズしようとする場合は、使用者は手でサブボディー６０３０を収納空間６０１４内に押し込む。
【０２６０】
この動作により、サブボディー６０３０は第１クロスバー６１３０及び第２クロスバー６１４０を押し付け、収納空間６０１４内に入っていく。これにより、トーションスプリング６１５０は緊張状態になり、第１クロスバー６１３０及び第２クロスバー６１４０は互いに相対回転し、両端が側面に最も近接した状態となる。
【０２６１】
そして、サブボディー６０３０が収納空間６０１４内に十分に挿入されると、サブボディー６０３０に形成された係止突起６０３４がスライディングバー６１１０のフック６１１２に係止するようになる。よって、サブボディー６０３０が収納空間６０１４内に内蔵された状態を維持するようになる。
【０２６２】
以下、添付図面を参照しながら、本発明の第９実施例によるスライド開閉装置を備えた携帯端末機について詳しく説明する。
【０２６３】
図４４は、本発明の一実施例である通信端末機の分解斜視図、図４５は、図４４における通信端末機の要部に対する分解斜視図、図４６は、図４４における通信端末機の結合状態の部分断面図である。
【０２６４】
上記図面に示された通信端末機は、メインボディー７１００と、メインボディー７１００に結合されるメインプレート７１１０と、メインプレート７１１０にスライド可能に結合されるスライドプレート７１２０と、スライドプレート７１２０に回転可能に結合される回転プレート７１３０と、スライドプレート７１２０に固定結合されるサブボディー７１４０と、回転プレート７１３０に固定されてサブボディー７１４０上で回転するディスプレー装置７１５０からなる。
【０２６５】
メインボディー７１００には各種機能を制御するためのキーパッド７１０２が表面に設置されて制御回路部が内蔵され、ディスプレー装置７１５０には制御回路部の信号を受けて映像として出力する液晶画面７１５２が装着される。
【０２６６】
サブボディー７１４０には回転プレート７１３０を通過させるための貫通部７１４２が形成され、ディスプレー装置７１５０が回転可能な装着空間７１４４が形成される。
【０２６７】
スクリューなどの締結手段により、メインプレート７１１０をメインボディー７１００に、スライドプレート７１２０をサブボディー７１４０に、回転プレート７１３０をディスプレー装置７１５０に結合させる。
【０２６８】
スライドプレート７１２０にはスライド軸７１２２が固定され、メインプレート７１１０にはスライド軸７１２２にスライド可能に結合される軸ホルダー７１１２が形成される。スライド軸７１２２は金属材料で構成し、精密な加工を施して美麗な表面を得る。
【０２６９】
スライドプレート７１２０の移動経路のうち一定の地点を基準として、スライドプレート７１２０が閉鎖位置に近い時にはスライドプレート７１２０に閉鎖方向へ弾性力を加え、スライドプレート７１２０が開放位置に近い時にはスライドプレート７１２０に開放方向へ弾性力を加える第１弾性部材が設けられる。
【０２７０】
このような第１弾性部材は、一端部がメインプレート７１１０に支持され、他端部が回転プレート７１３０に支持されるトーションスプリング７１６０からなる。
【０２７１】
このようなトーションスプリング７１６０は、回転プレート７１３０が回転しない状態では回転プレート７１３０に初期状態を維持するように弾性力を加え、回転プレート７１３０が回転した状態では回転プレート７１３０に回転した状態を維持するように弾性力を加える。
【０２７２】
そして、トーションスプリング７１５０の巻線部分は同心円上で半径が次第に拡張されるように複数巻かれる。これにより、トーションスプリング７１６０の巻線数と関係なくトーションスプリング７１６０の高さ値を最小化することによって、端末機の大きさ及び厚さに対する制約を排除し、端末機のデザインに対する制約を減らすことができる。
【０２７３】
また、トーションスプリング７１５０の弾性力方向の変曲点は、メインプレート７１１０が閉じた地点から総移動距離の１／２以内に位置するようにする。即ち、サブボディー７１４０が開く動作から変曲点までの距離が短くなるようにすることによって、メインボディー７１００で信号音が鳴る時に迅速にサブボディー７１４０をオープンすることができる。
【０２７４】
回転プレート７１３０は、回転プレート７１３０の中心に形成される貫通孔７１３４を通過してスライドプレート７１２０に締結される中心軸７１３６を軸にして回転する。
【０２７５】
スライドプレート７１２０には、回転プレート７１３０の中心領域の底面を支えるためのテーブル部７１２４が形成される。
【０２７６】
中心軸７１３６には雄ねじ部７１３８が形成され、テーブル７１２４部の中心には雄ねじ部７１３８の締結される雌ねじ部７１２６が形成される。
【０２７７】
一方、回転プレート７１３０の回転角度を制限するための回転制限手段が備えられる。
【０２７８】
この回転制限手段は、スライドプレート７１２０又は回転プレート７１３０のうち一方に形成され、他方に形成される軌跡溝７１３２に挿入される回転制限突起７１２８からなる。
【０２７９】
回転制限突起７１２８は軌跡溝７１３２の両端にそれぞれ接触し、回転プレート７１３０が回転しない状態と回転した状態において、それ以上回転しないように制動する役割をする。
【０２８０】
以下では、本実施例の作用について説明する。
【０２８１】
図４７は、図４６における通信端末機の使用状態の平面図、図４８は、図４７の断面図である。
【０２８２】
通信端末機がクローズした状態は、サブボディー７１４０がキーパッド７１０２の設けられたメインボディー７１００に重なって閉じている状態となる。この時、サブボディー７１４０に結合されたスライドプレート７１２０は、トーションスプリング７１６０の弾性力を受けて閉じた状態を維持する。
【０２８３】
そして、ディスプレー装置７１５０が結合された回転プレート７１３０は、トーションスプリング７１６０の弾性力を受けて初期状態を維持し続ける。
【０２８４】
このような状態から通信端末機をオープンするためにサブボディー７１４０を手で押圧すると、サブボディー７１４０とスライドプレート７１２０が共にスライドされる。この時、スライドプレート７１２０に固定されたスライド軸７１２２が、メインプレート７１１０の軸ホルダー７１１２内でスライドされる。
【０２８５】
初めは力を加えてサブボディー７１４０を押圧しなければならないが、トーションスプリング７１６０の変曲点を過ぎると、スライドプレート７１２０はトーションスプリング７１６０の弾性力により開放方向へ押されていく。この時からは、サブボディー７１４０に力を加えなくても、自動で開放位置まで移動する。
【０２８６】
サブボディー７１４０が完全にオープンした状態にも、トーションスプリング７１６０の弾性力が引き続きスライドプレート７１２０に加えられるので、サブボディー７１４０が開いた状態を維持する。
【０２８７】
サブボディー７１４０がオープンすると、メインボディー７１００のキーパッド７１０２がオープンするので、使用者は通信端末機の固有機能を使用することができる。
【０２８８】
一方、サブボディー７１４０がオープンした状態で、ディスプレー装置７１５０の液晶画面７１５２を通して映画を鑑賞しようとする場合、ディスプレー装置７１５０を手で９０゜回転させる。
【０２８９】
すると、ディスプレー装置７１５０に結合された回転プレート７１３０が、中心軸７１３６を中心に回転するようになり、ディスプレー装置７１５０が９０゜回転した後には、回転制限突起７１２８が軌跡溝７１３２の端部に係止し、ディスプレー装置７１５０の回転を制限する。以後も、トーションスプリング７１６０が引き続き回転プレート７１３０を回転する方向に押圧することになり、ディスプレー装置７１５０は回転した状態を維持する。
【０２９０】
このように、ディスプレー装置７１５０が９０゜回転すると、ディスプレー装置７１５０に装着された液晶画面７１５２が水平方向に長くなるので、映画を鑑賞するのに適するようになる。従って、使用者は液晶画面７１５２を通して正常な映画の画面を見ることができる。
【０２９１】
一方、液晶画面７１５２を通した映画鑑賞が終われば、ディスプレー装置７１５０を上記と逆方向に回転させる。これにより、回転プレート７１３０が中心軸７１３６を中心に逆方向に回転するようになり、ディスプレー装置７１５０が９０゜回転した後には、回転制限突起７１２８が軌跡溝７１３２の端部に係止し、ディスプレー装置７１５０の回転を制限する。以後も、トーションスプリング７１６０が引き続き回転プレート７１３０を初期位置に押圧することになり、ディスプレー装置７１５０は初期の状態を維持する。
【０２９２】
一方、サブボディー７１４０がオープンした状態から通信端末機をクローズしようとする場合は、使用者は手でサブボディー７１４０を閉鎖方向へ押し込む。サブボディー７１４０のクローズ動作は、オープン動作と逆の順序からなる。
【産業上の利用可能性】
【０２９３】
上記のように構成された本発明の望ましい実施例によるスライド開閉装置を、携帯端末機に適用すれば、携帯端末機の本体に対してフォルダーをスライド動作により開閉させることができ、スライド開閉装置の動作性能及び耐久性に優れ、信頼性を高めることができる。
【０２９４】
本発明の望ましい実施例を参照して本発明を図示及び詳述したが、当業界における通常の知識を有する者ならば、本発明の特許請求の範囲を逸脱しない限り、本発明を多様に変形及び改良可能であるということは理解できるだろう。
【図面の簡単な説明】
【０２９５】
上述した本発明の目的及び利点は、添付の図面を参照して本発明の望ましい実施例を詳しく説明することによって、より明確になるであろう。
【０２９６】
添付図面において、
【図１】本発明の第１実施例によるスライド開閉装置が備えられた携帯端末機の分解斜視図である。
【図２】本発明の第１実施例による携帯端末機の作用を示した斜視図である。
【図３】本発明の第１実施例による携帯端末機の作用を示した斜視図である。
【図４】本発明の第１実施例による携帯端末機の作用を示した斜視図である。
【図５】本発明の第１実施例による携帯端末機の作用を示した斜視図である。
【図６】本発明の第１実施例による携帯端末機の作用を示した斜視図である。
【図７】本発明の第１実施例による携帯端末機の作用を示した斜視図である。
【図８】本発明の第２実施例によるスライド開閉装置が備えられた携帯端末機の分解斜視図である。
【図９】本発明の第２実施例による携帯端末機の作用を示した斜視図である。
【図１０】本発明の第２実施例による携帯端末機の作用を示した斜視図である。
【図１１】本発明の第２実施例による携帯端末機の作用を示した斜視図である。
【図１２】本発明の第３実施例によるスライド開閉装置が備えられた携帯端末機の分解斜視図である。
【図１３】図１２のスライド開閉装置を他の角度から見た分解斜視図である。
【図１４】図１３の開閉装置の閉じた状態を示す結合状態の斜視図である。
【図１５】図１４の開閉装置の横断面図である。
【図１６】図１４の開閉装置のスライドプレートが開いた状態の斜視図である。
【図１７】図１６の開閉装置の横断面図である。
【図１８】本発明の第４実施例によるスライド開閉装置が装着された携帯端末機の分解斜視図である。
【図１９】図１８の開閉装置を他の角度から見た分解斜視図である。
【図２０】図１９の開閉装置の閉じた状態を示す横断面図である。
【図２１】図１９の開閉装置の開いた状態を示す横断面図である。
【図２２】本発明の第５実施例によるスライド開閉装置が備えられた携帯端末機の分解斜視図である。
【図２３】図２２の開閉装置の閉じた状態を示す結合状態の斜視図である。
【図２４】図２３の開閉装置でスライドプレートが一部開放された状態の斜視図である。
【図２５】図２３の開閉装置でスライドプレートが完全に開放された状態の斜視図である。
【図２６】本発明の第６実施例によるスライド開閉装置が備えられた携帯端末機の分解斜視図である。
【図２７】図２６のスライド開閉装置の閉じた状態を示す結合状態の斜視図である。
【図２８】図２７のスライド開閉装置でスライドプレートが一部開放された状態の斜視図である。
【図２９】図２８のスライド開閉装置でスライドプレートが完全に開放された状態の斜視図である。
【図３０】本発明の第７実施例によるスライド開閉装置が備えられた携帯端末機の分解斜視図である。
【図３１】図３０の携帯端末機の閉じた状態を示す結合状態の横断面図である。
【図３２】図３１の携帯端末機の縦断面図である。
【図３３】図３１の携帯端末機でサブボディーが変曲点まで開放された状態の横断面図である。
【図３４】図３３の携帯端末機の縦断面図である。
【図３５】図３１の携帯端末機でサブボディーが完全に開放された状態の横断面図である。
【図３６】図３５の携帯端末機の縦断面図である。
【図３７】本発明の第８実施例によるスライド開閉装置が備えられた携帯端末機の分解斜視図である。
【図３８】図３７の携帯端末機の結合状態の斜視図である。
【図３９】図３８の携帯端末機からサブボディーが引き出された状態の斜視図である。
【図４０】図３７の携帯端末機のクローズ状態を示した分解斜視図である。
【図４１】図３７の携帯端末機のクローズ状態を示した分解斜視図である。
【図４２】図３７の携帯端末機のオープン状態を示した分解斜視図である。
【図４３】図３７の携帯端末機のオープン状態を示した分解斜視図である。
【図４４】本発明の第９実施例によるスライド開閉装置が備えられた携帯端末機の分解斜視図である。
【図４５】図４４の携帯端末機の要部に対する分解斜視図である。
【図４６】図４４の携帯端末機の結合状態でスライド開閉装置を断面処理した平面図である。
【図４７】図４６の携帯端末機の使用状態の平面図である。
【図４８】図４７の携帯端末機の縦断面図である。
【図１】
2007503752.tif 000003
【図２】
2007503752.tif 000004
【図３】
2007503752.tif 000005
【図４】
2007503752.tif 000006
【図５】
2007503752.tif 000007
【図６】
2007503752.tif 000008
【図７】
2007503752.tif 000009
【図８】
2007503752.tif 000010
【図９】
2007503752.tif 000011
【図１０】
2007503752.tif 000012
【図１１】
2007503752.tif 000013
【図１２】
2007503752.tif 000014
【図１３】
2007503752.tif 000015
【図１４】
2007503752.tif 000016
【図１５】
2007503752.tif 000017
【図１６】
2007503752.tif 000018
【図１７】
2007503752.tif 000019
【図１８】
2007503752.tif 000020
【図１９】
2007503752.tif 000021
【図２０】
2007503752.tif 000022
【図２１】
2007503752.tif 000023
【図２２】
2007503752.tif 000024
【図２３】
2007503752.tif 000025
【図２４】
2007503752.tif 000026
【図２５】
2007503752.tif 000027
【図２６】
2007503752.tif 000028
【図２７】
2007503752.tif 000029
【図２８】
2007503752.tif 000030
【図２９】
2007503752.tif 000031
【図３０】
2007503752.tif 000032
【図３１】
2007503752.tif 000033
【図３２】
2007503752.tif 000034
【図３３】
2007503752.tif 000035
【図３４】
2007503752.tif 000036
【図３５】
2007503752.tif 000037
【図３６】
2007503752.tif 000038
【図３７】
2007503752.tif 000039
【図３８】
2007503752.tif 000040
【図３９】
2007503752.tif 000041
【図４０】
2007503752.tif 000042
【図４１】
2007503752.tif 000043
【図４２】
2007503752.tif 000044
【図４３】
2007503752.tif 000045
【図４４】
2007503752.tif 000046
【図４５】
2007503752.tif 000047
【図４６】
2007503752.tif 000048
【図４７】
2007503752.tif 000049
【図４８】
2007503752.tif 000050
【国際調査報告】
2007503752.tif 000051
2007503752.tif 000052